(57)【要約】      （修正有）【課題】連続した一つのジェスチャーで検索するコンテンツを迅速に抽出する移動端末機及びその制御方法を提供する。【解決手段】移動端末機及びその制御方法は、少なくとも１つのコンテンツを表示しＳ１１０、第１入力を受信するＳ１２０場合、少なくとも１つのコンテンツに関連する第１機能を実行して、第１結果画面を表示しＳ１３０、第１入力に連続して第２入力を受信するＳ１４０場合、第１結果画面と関連する第２機能を実行して、第２結果画面を表示しＳ１５０、第１入力の終了点に対応する第１結果画面の第１コンテンツに関連する第２結果画面の第２コンテンツを中心領域に表示する。【選択図】図２
2016062590.tif 000002
【特許請求の範囲】
【請求項１】
ディスプレイ部と、
少なくとも１つのコンテンツを、前記ディスプレイ部に表示し、前記ディスプレイ部を通じて第１入力を受信する場合、前記ディスプレイ部に表示された少なくとも１つのコンテンツに関連する第１機能を実行して、第１結果画面を表示し、前記第１入力に連続して第２入力を受信する場合、前記第１結果画面に関連する第２機能を実行して、第２結果画面を表示し、前記第１入力の終了点に対応する前記第１結果画面の第１コンテンツに関連する前記第２結果画面の第２コンテンツを、前記ディスプレイ部の中心領域に表示する制御部とを含む、移動端末機。
【請求項２】
前記第１入力は、前記ディスプレイ部のベゼル領域から始まる第１対角線方向の連続タッチ入力であり、
前記第２入力は、前記第１入力の終了点から開始し、前記第１対角線方向と区別される第２対角線方向の連続タッチ入力である、請求項１に記載の移動端末機。
【請求項３】
前記制御部は、前記第１入力と前記第２入力との間に前記第１入力の終了点でホールド入力（holding input）を受信する場合、前記第１結果画面をスクロールする、請求項１に記載の移動端末機。
【請求項４】
前記制御部は、前記第１結果画面のコンテンツ表示スケールまたは前記端末機の傾きの内の少なくとも一つに基づいて、前記スクロール速度を調整する、請求項３に記載の移動端末機。
【請求項５】
前記制御部は、前記第１機能と前記第２機能がコンテンツの表示スケールを調整する機能である場合、前記第１入力と前記第２入力の角度または長さの内、少なくとも一つを考慮して、前記コンテンツの表示スケールを調整する、請求項１に記載の移動端末機。
【請求項６】
前記制御部は、前記第１入力または前記第２入力に対応する機能をガイドするインジケーターを前記第１結果画面または前記第２結果画面とオーバーラップして表示する、請求項１に記載の移動端末機。
【請求項７】
前記制御部は、前記第１入力または前記第２入力を受信する地点に表示された特定コンテンツのサムネイル（thumbnail）を拡大して前記第１結果画面または前記第２結果画面の一部領域とオーバーラップして表示する、請求項１に記載の移動端末機。
【請求項８】
前記制御部は、前記第２入力に連続して前記第１入力に対応する第３入力を受信する場合、または前記第３入力に連続して前記第２入力に対応する第４入力を受信する場合、前記第１機能または前記第２機能を繰り返し実行する、請求項１に記載の移動端末機。
【請求項９】
前記制御部は、前記第２入力を設定された長さ未満受信する場合、前記第１コンテンツを前記ディスプレイ部の中心領域に移動させ表示する、請求項１に記載の移動端末機。
【請求項１０】
前記制御部は、前記第２入力を設定された長さ以上受信する場合、前記第２コンテンツを前記ディスプレイ部の中心領域に移動させ表示する、請求項１に記載の移動端末機。
【請求項１１】
前記制御部は、前記第２入力を解除する場合、前記第２コンテンツを前記ディスプレイ部の画面全体に表示する、請求項１０に記載の移動端末機。
【請求項１２】
前記制御部は、前記ディスプレイ部のベゼル領域のタッチ入力が維持された状態で、前記第１入力または前記第２入力を受信する場合、前記第１機能または前記第２機能を実行する、請求項１に記載の移動端末機。
【請求項１３】
前記制御部は、前記受信された第１入力または第２入力の逆方向入力を受信する場合、前記逆方向入力に対応して前記第１機能または前記第２機能を以前の状態に回復する、請求項１に記載の移動端末機。
【請求項１４】
前記制御部は、前記少なくとも１つのコンテンツがメッセージである場合、前記第１入力を受信することによって前記メッセージを拡大または縮小して表示する、請求項１に記載の移動端末機。
【請求項１５】
前記制御部は、前記第２入力を受信することによって前記メッセージの透明度を調整する、請求項１４に記載の移動端末機。
【請求項１６】
前記制御部は、前記第１入力が前記ディスプレイ部の第１ベゼル領域で開始され、前記ディスプレイ部の第２ベゼル領域で終了する場合、
前記第１結果画面の特定コンテンツのキーワードまたは代表イメージをタグで生成して前記第１結果画面の特定の領域にオーバーラップして表示する、請求項１に記載の移動端末機。
【請求項１７】
ディスプレイ部と、
少なくとも１つのコンテンツを、前記ディスプレイ部に表示し、前記ディスプレイ部を通じて第１入力を受信する場合、前記ディスプレイ部に表示された少なくとも１つのコンテンツの表示スケールを調整する第１機能を実行して、第１結果画面を表示し、前記第１入力の終了点でホールド入力（holding input）を受信する場合、前記第１結果画面をスクロールして、前記ホールド入力に連続して第２入力を受信する場合、前記スクロールされた第１結果画面の表示スケールを調整する第２機能を実行して、第２結果画面を前記ディスプレイ部に表示する制御部とを含み、
前記第１機能と前記第２機能は、表示スケールを逆に調整することを特徴とする移動端末機。
【請求項１８】
前記制御部は、前記第２入力を受信する場合、前記ホールド入力の終了点に対応する前記スクロールされた第１結果画面の第１コンテンツに関連する前記第２結果画面の第２コンテンツを前記ディスプレイ部の中心領域に表示する、請求項１７に記載の移動端末機。
【請求項１９】
少なくとも１つのコンテンツを表示する段階と、
ディスプレイ部を通じて第１入力を受信する段階と、
前記第１入力を受信することによって、前記少なくとも１つのコンテンツに関連する第１機能を実行して、第１結果画面を表示する段階と、
前記第１入力に連続して第２入力を受信する段階と、
前記第２入力を受信することによって、前記第１結果画面に関連する第２機能を実行して、第２結果画面を表示する段階と、を含み、
前記第２結果画面を表示する段階は、前記第１入力の終了点に対応する前記第１結果画面の第１コンテンツに関連する前記第２結果画面の第２コンテンツを前記ディスプレイ部の中心領域に表示することを特徴とする移動端末機の制御方法。
【請求項２０】
少なくとも１つのコンテンツを表示する段階と、
ディスプレイ部を通じて第１入力を受信する段階と、
前記第１入力を受信することによって、前記少なくとも１つのコンテンツの表示スケールを調整する第１機能を実行して、第１結果画面を表示する段階と、
前記第１入力の終了点でホールド入力（holding input）を受信する段階と、
前記ホールド入力を受信することによって、前記第１結果画面をスクロールする段階と、
前記ホールド入力に連続して第２入力を受信する段階と、
前記第２入力を受信することによって、前記スクロールされた第１結果画面の表示スケールを調整する第２機能を実行して、第２結果画面を表示する段階と、を含み、
前記第１機能と前記第２機能は、表示スケールを逆に調整する機能であることを特徴とする移動端末機の制御方法。
【発明の詳細な説明】
【技術分野】
【０００１】
本発明は、アプリケーションの実行画面を制御する移動端末機及びその制御方法に関する。
【背景技術】
【０００２】
端末機は、移動可能性の有無に応じて、移動端末機（mobile/ portable terminal）と固定端末機（stationary terminal）に分けられる。再び移動端末機は、ユーザーの直接携帯可能可否に応じて、携帯（型）端末機（handheld terminal）と据置型端末機（vehicle mounted terminal）に分けられる。
【０００３】
移動端末機の機能は多様化している。例えば、データと音声通信、カメラによる写真撮影やビデオ撮影、音声録音、スピーカーシステムを通じた音楽ファイルの再生とディスプレイ部にイメージやビデオを出力する機能がある。一部の端末機は、電子ゲームプレーヤー機能が追加されたり、マルチメディアプレーヤー機能を実行する。特に最近の移動端末機は、放送やビデオやテレビ番組のような視覚的なコンテンツを提供するマルチキャスト信号を受信することができる。
【０００４】
このような端末機は、機能が多様化することに伴い、例えば、写真や動画の撮影、音楽や動画ファイルの再生、ゲーム、放送の受信などの複合的な機能を備えたマルチメディア機器（Multimedia player）の形で実現されている。
【０００５】
このような端末機の機能支持と増大のために、端末機の構造的な部分及び/またはソフトウェア的な部分を改良することが考慮されることがある。
【０００６】
一般的に、端末機は、１つの入力を介して対応する１つの機能を実行することができ、同じ入力を連続的に受信する場合に対応する機能を動的に実行することができる。
【０００７】
しかし、複数の区分される機能を実行するために端末機は、複数回の分離された入力を受信するべきである。特に、サイズが小さい端末機のディスプレイを通じて、ユーザーが所望する情報を検索するためには、複数のスクロール動作と画面の拡大または縮小のための入力動作を繰り返しなければならない問題点がある。
【発明の概要】
【発明が解決しようとする課題】
【０００８】
本発明は前述した問題やその他の問題を解決することにある。本発明の目的は、少なくとも１つのコンテンツを表示し、第１入力を受信する場合、表示された少なくとも１つのコンテンツに関連する第１機能を実行して、第１結果画面を表示し、第１入力に連続して第２入力を受信する場合、第１結果画面に関連する第２機能を実行し、第２結果画面を表示し、第１入力の終了点に対応する第１結果画面の第１コンテンツに関連する第２結果画面の第２コンテンツを中心領域に表示できるようにする移動端末機及びその制御方法を提供することにある。
【０００９】
また他の目的は、少なくとも１つのコンテンツを表示し、第１入力を受信する場合、表示された少なくとも１つのコンテンツの表示スケールを調整する第１機能を実行して第１結果画面を表示し、第１入力の終了点でホールド入力（holding input）を受信する場合、第１結果画面をスクロールし、ホールド入力に連続して第２入力を受信する場合、スクロールされた第１結果画面の表示スケールを調整する第２機能を実行して第２結果画面を表示できるようにする移動端末機及びその制御方法を提供することにある。
【課題を解決するための手段】
【００１０】
前記目的または他の目的を達成するために、本発明の移動端末機及びその制御方法は、ディスプレイ部、及び少なくとも１つのコンテンツを、前記ディスプレイ部に表示し、前記ディスプレイ部を通じて第１入力を受信する場合、前記ディスプレイ部に表示された少なくとも１つのコンテンツに関連する第１機能を実行して、第１結果画面を表示し、前記第１入力に連続して第２入力を受信する場合、前記第１結果画面に関連する第２機能を実行して、第２結果画面を表示し、前記第１入力の終了点に対応する前記第１結果画面の第１コンテンツに関連する前記第２結果画面の第２コンテンツを前記ディスプレイ部の中心領域に表示する制御部を含む移動端末機を提供する。
【００１１】
また、本発明の他の側面によれば、ディスプレイ部、及び少なくとも１つのコンテンツを、前記ディスプレイ部に表示し、前記ディスプレイ部を通じて第１入力を受信する場合、前記ディスプレイ部に表示された少なくとも１つのコンテンツの表示スケールを調整する第１機能を実行して、第１結果画面を表示し、前記第１入力の終了点でホールド入力（holding input）を受信する場合、前記第１結果画面をスクロールし、前記ホールド入力に連続して第２入力を受信する場合、前記スクロールされた第１結果画面の表示スケールを調整する第２機能を実行して、第２結果画面を前記ディスプレイ部に表示する制御部を含み、前記第１機能と前記第２機能は、表示スケールを逆に調整することを特徴とする移動端末機を提供する。
【００１２】
また、本発明の他の側面によれば、少なくとも１つのコンテンツを表示する段階と、ディスプレイ部を通じて第１入力を受信する段階、前記第１入力を受信することによって、前記少なくとも１つのコンテンツに関連する第１機能を実行して、第１結果画面を表示する段階と、前記第１入力に連続して第２入力を受信する段階と、前記第２入力を受信することによって、前記第１結果画面に関連する第２機能を実行して、第２結果画面を表示する段階を含み、前記第２結果画面を表示する段階は、前記第１入力の終了点に対応する前記第１結果画面の第１コンテンツに関連する前記第２結果画面の第２コンテンツを前記ディスプレイ部の中心領域に表示することを特徴とする移動端末機の制御方法を提供する。
【００１３】
また、本発明の他の側面によれば、少なくとも一つのコンテンツを表示する段階と、ディスプレイ部を通じて第１入力を受信する段階、前記第１入力を受信することによって、前記少なくとも１つのコンテンツの表示スケールを調整する第１機能を実行して、第１結果画面を表示する段階、前記第１入力の終了点でホールド入力（holding input）を受信する段階と、前記ホールド入力を受信することによって、前記第１結果画面をスクロールする段階と、前記ホールド入力に連続して第２入力を受信する段階と、前記第２入力を受信することによって、前記スクロールされた第１結果画面の表示スケールを調整する第２機能を実行して、第２結果画面を表示する段階を含み、前記第１機能と前記第２機能は、表示スケールを逆に調整する機能であることを特徴とする移動端末機の制御方法を提供する。
【発明の効果】
【００１４】
本発明の実施の形態の内、少なくとも一つによれば、連続した１つの入力で複数の機能を実行することにより、ユーザーが所望する機能を迅速に実行することができるという長所がある。
【００１５】
また、本発明の実施の形態の内、少なくとも一つによれば、連続した１つの入力を介して、ユーザーが希望する特定のコンテンツをディスプレイ部の中心領域に表示することができるという長所がある。
【００１６】
また、本発明の実施の形態の内、少なくとも一つによれば、スクロールされるコンテンツの代表情報を特定の領域に表示することにより、入力を調整して、ユーザーが所望する情報を正確に検索する戸ことができるという長所がある。
【００１７】
本発明の適用可能性の追加的な範囲は、以下の詳細な説明から明らかになる。しかし、本発明の思想及び範囲内で様々な変更及び修正は、当業者に明確に理解することができるので、詳細な説明及び本発明の好ましい実施の形態のような特定の実施の形態は、単に例示で与えられたものと理解されるべきである。
【図面の簡単な説明】
【００１８】
【図１Ａ】本発明に係る移動端末機を説明するためのブロック図である。
【図１Ｂ】本発明に係る移動端末機の一例を互いに異なる方向から見た概念図である。
【図１Ｃ】本発明に係る移動端末機の一例を互いに異なる方向から見た概念図である。
【図２】本発明に係る移動端末機の制御方法の一実施の形態に係るフローチャートである。
【図３】本発明に係る移動端末機の制御方法の一実施の形態を説明するための図である。
【図４】本発明に係る移動端末機の制御方法の一実施の形態を説明するための図である。
【図５】本発明に係る移動端末機の制御方法の一実施の形態を説明するための図である。
【図６】本発明に係る移動端末機の制御方法の一実施の形態を説明するための図である。
【図７】本発明に係る移動端末機の制御方法の一実施の形態を説明するための図である。
【図８】本発明に係る移動端末機の制御方法の一実施の形態を説明するための図である。
【図９】本発明に係る移動端末機の制御方法の一実施の形態を説明するための図である。
【図１０】本発明に係る移動端末機の制御方法の一実施の形態を説明するための図である。
【図１１】本発明に係る移動端末機の制御方法の一実施の形態を説明するための図である。
【図１２】本発明に係る移動端末機の制御方法の一実施の形態を説明するための図である。
【図１３】本発明に係る移動端末機の制御方法の一実施の形態を説明するための図である。
【図１４】本発明に係る移動端末機の制御方法の一実施の形態を説明するための図である。
【図１５】本発明に係る移動端末機の制御方法の一実施の形態を説明するための図である。
【図１６】本発明に係る移動端末機の制御方法の一実施の形態を説明するための図である。
【図１７】本発明に係る移動端末機の制御方法の一実施の形態を説明するための図である。
【図１８】本発明に係る移動端末機の制御方法の一実施の形態を説明するための図である。
【図１９】本発明に係る移動端末機の制御方法の一実施の形態を説明するための図である。
【図２０】本発明に係る移動端末機の制御方法の他の実施の形態を説明するためのフローチャートである。
【図２１】本発明に係る移動端末機の制御方法の他の実施の形態を説明するための図である。
【図２２】本発明に係る移動端末機の制御方法の他の実施の形態を説明するための図である。
【図２３】本発明に係る移動端末機の制御方法の他の実施の形態を説明するための図である。
【図２４】本発明に係る移動端末機の制御方法の他の実施の形態を説明するための図である。
【図２５】本発明に係る移動端末機の制御方法の他の実施の形態を説明するための図である。
【図２６】本発明に係る移動端末機の制御方法の他の実施の形態を説明するための図である。
【図２７】本発明に係る移動端末機の制御方法の他の実施の形態を説明するための図である。
【図２８】本発明に係る移動端末機の制御方法のまた他の実施の形態を説明するための図である。
【図２９】本発明に係る移動端末機の制御方法のまた他の実施の形態を説明するための図である。
【図３０】本発明に係る移動端末機の制御方法のまた他の実施の形態を説明するための図である。
【発明を実施するための形態】
【００１９】
以下、添付された図面を参照して、本発明の実施の形態について詳細に説明するが、図面符号に関係なく、同一または類似の構成要素は、同じ参照番号を付与し、これに対する重複される説明は省略することにする。以下の説明で用いられる構成要素の接尾辞「モジュール」と「部」は、明細書作成の容易さだけが考慮されて付与されるか、または混合されるものであって、それ自体で区別される意味または役割を有するものではない。また、本明細書に開示された実施の形態を説明するにあたって、関連した公知技術に対する具体的な説明が本明細書に開示された実施の形態の要旨を曖昧にすることができると判断される場合、その詳細な説明を省略する。また、添付された図面は、本明細書に開示された実施の形態を容易に理解できるようにするためのものだけであり、添付された図面によって本明細書に開示された技術的思想が制限されなく、本発明の思想及び技術範囲に含まれるすべての変更、均等物ないし代替物を含むものと理解されるべきである。
【００２０】
第１、第２などのように序数を含む用語は、さまざまな構成要素を説明するために用いられることができるが、前記の構成要素は、前記用語によって限定されない。前記の用語は、１つの構成要素を他の構成要素から区別するためにのみ用いられる。
【００２１】
どの構成要素が他の構成要素に「繋がれて」いるとか、「接続されて」いると言及されたときには、その他の構成要素に直接連結されているか、または接続されている場合もあるが、中間に他の構成要素が存在することもあると理解しければならない。一方、どの構成要素が他の構成要素に「直接繋がれて」いるとか、「直接接続されて」いると言及されたときには、中間に他の構成要素が存在しないことと理解すべきである。
【００２２】
単数の表現は、文脈上明らかに違うように意味する限り、複数の表現を含む。
【００２３】
本出願において、「含む」または「有する」などの用語は、明細書上に記載された特徴、数字、段階、動作、構成要素、部品、またはこれらを組み合わせたものが存在することを指定しようとするものであって、一つまたはそれ以上の他の特徴や数字、段階、動作、構成要素、部品、またはこれらを組み合わせたものの存在または他の特徴や数字、段階、動作、構成要素、部品、またはこれらを組み合わせたものの存在または付加可能性を予め排除しないものと理解されるべきである。
【００２４】
本明細書において説明される移動端末機には、携帯電話、スマートフォン（smart phone）、ラップトップコンピュータ（laptop computer）、デジタル放送用端末機、ＰＤＡ（personal digital assistants）、ＰＭＰ（portable multimedia player）、ナビゲーション、スレートＰＣ（slate ＰＣ）、タブレットＰＣ（tablet ＰＣ）、ウルトラブック（ultrabook）、ウェアラブルデバイス（wearable device）、例えば、スマートウォッチ（smartwatch）、スマートグラス（smart glass）、ＨＭＤ（head mounted display））などが含まれることができる。
【００２５】
しかし、本明細書に記載された実施の形態に係る構成は、移動端末機にのみ適用可能な場合を除外すけば、デジタルＴＶ、デスクトップコンピュータ、デジタルサイネージなどの固定端末機にも適用されることもあることを本技術分野の当業者であれば容易に知ることができる。
【００２６】
図１Ａ〜図１Ｃを参照すると、図１Ａは、本発明に係る移動端末機を説明するためのブロック図であり、図１Ｂ及び図１Ｃは、本発明に係る移動端末機の一例を互いに異なる方向から見た概念図である。
【００２７】
前記移動端末機１００は、無線通信部１１０、入力部１２０、センシング部１４０、出力部１５０、インターフェース部１６０、メモリ１７０、制御部１８０及び電源供給部１９０などを含むことができる。図１Ａに示された構成要素は、移動端末機を実現する上で必要不可欠なわけではなく、本明細書で説明される移動端末機は、前記に挙げられた構成要素より多いか、または少ない構成要素を有することができる。
【００２８】
さらに具体的には、前記の構成要素のうち、無線通信部１１０は、移動端末機１００と無線通信システムとの間、移動端末機１００と、他の移動端末機１００との間、または移動端末機１００と外部サーバとの間の無線通信を可能にする１つ以上のモジュールを含むことができる。また、前記無線通信部１１０は、移動端末機１００を１つ以上のネットワークに接続する１つ以上のモジュールを含むことができる。
【００２９】
このような無線通信部１１０は、放送受信モジュール１１１、移動通信モジュール１１２、無線インターネットモジュール１１３、近距離通信モジュール１１４、位置情報モジュール１１５の内少なくとも一つを含むことができる。
【００３０】
入力部１２０は、映像信号の入力のためのカメラ１２１または映像入力部、オーディオ信号入力のためのマイクロフォン（microphone、１２２）、またはオーディオ入力部、ユーザからの情報の入力を受けるためのユーザー入力部（１２３、例えば、タッチキー（touch key）、メカニカルキー（mechanical key）など）を含むことができる。入力部１２０から収集した音声データやイメージデータは、分析され、ユーザーの制御コマンドで処理することができる。
【００３１】
センシング部１４０は、移動端末機内の情報、移動端末機を取り囲んだ周辺環境の情報とユーザー情報の内少なくとも一つをセンシングするための一つ以上のセンサを含むことができる。たとえば、センシング部１４０は、近接センサ（１４１、proximity sensor）、照度センサ（１４２、illumination sensor）、タッチセンサ（touch sensor）、加速度センサ（acceleration sensor）、磁気センサ（magnetic sensor）、重力センサ（Ｇ-sensor）、ジャイロスコープセンサ（gyroscope sensor）、モーションセンサ（motion sensor）、ＲＧＢセンサ、赤外線センサ（ＩＲセンサ：infrared sensor）、指紋認識センサ（finger scan sensor）、超音波センサ（ultrasonic sensor）、光センサ（optical sensor、例えば、カメラ（１２１参照）、マイクロフォン（ｍｉｃｒｏｐhone、１２２参照）、バッテリーゲージ（battery gauge）、環境センサ（例えば、気圧計、湿度計、温度計、放射能感知センサ、熱感知センサ、ガス感知センサ等）、化学センサ（例えば、電子鼻、ヘルスケアセンサ、バイオセンサなど）の内少なくとも一つを含むことができる。一方、本明細書に開示された移動端末機は、このようなセンサの内、少なくとも２つ以上のセンサでセンシングされる情報を組み合わせて活用することができる。
【００３２】
出力部１５０は、視覚、聴覚、または触覚などに関連する出力を発生させるためのもので、ディスプレイ部１５１、音声出力部１５２、ハプティックモジュール１５３、光出力部１５４の内、少なくとも一つを含むことができる。ディスプレイ部１５１は、タッチセンサと相互層構造を成したり、一体型に形成されることで、タッチスクリーンを実現することができる。このようなタッチスクリーンは、移動端末機１００とユーザーの間の入力インターフェイスを提供するユーザー入力部１２３として機能するとともに、移動端末機１００とユーザーの間の出力インターフェイスを提供することができる。
【００３３】
インターフェース部１６０は、移動端末機１００に接続される様々な種類の外部機器との通路の役割を果たす。このようなインタフェース部１６０は、有/無線ヘッドセットポート（port）、外部充電器ポート（port）、有/無線データポート（port）、メモリカード（memory card）ポート、識別モジュールが備えられた装置を接続するポート（port）、オーディオＩ/Ｏ（Input/Output）ポート（port）、ビデオＩ/Ｏ（Input/Output）ポート（port）、イヤホンポート（port）の内、少なくとも一つを含むことができる。移動端末機１００では、前記インターフェース部１６０に外部機器が接続されることに対応して、接続された外部機器に関連する適切な制御を行うことができる。
【００３４】
また、メモリ１７０は、移動端末機１００の様々な機能をサポートするデータを記憶する。メモリ１７０は、移動端末機１００で駆動される複数の応用プログラム（ＡＰplication programまたはアプリケーション（ＡＰplication）以下アプリケーションと称する）、移動端末機１００の動作のためのデータ、命令語を記憶することができる。このようなアプリケーションの内の少なくとも一部は、無線通信を介して外部サーバからダウンロードすることができる。また、このようなアプリケーションの内の少なくとも一部は、移動端末機１００の基本的な機能（例えば、電話着信、発信機能、メッセージの受信、発信機能）のために工場出荷当時から移動端末機１００上に存在することができる。
【００３５】
一方、アプリケーションは、メモリ１７０に記憶され、移動端末機１００上に設置されて、制御部１８０によって、前記移動端末機の動作（または機能）を実行するように駆動することができる。
【００３６】
制御部１８０は、前記アプリケーションに関連する動作以外にも、通常的に移動端末機１００の全体的な動作を制御する。制御部１８０は、上に注意深く見た構成要素を介して入力または出力される信号、データ、情報等を処理したり、メモリ１７０に記憶されたアプリケーションを駆動することにより、ユーザーに適切な情報または機能を提供または処理することができる。
【００３７】
また、制御部１８０は、メモリ１７０に記憶されたアプリケーションを駆動するために、図１Ａと一緒に詳しく見た構成要素の内、少なくとも一部を制御することができる。さらに、制御部１８０は、前記アプリケーションの駆動のために、移動端末機１００に含まれた構成要素内、少なくとも２つ以上を互に組み合わせて動作させることができる。
【００３８】
電源供給部１９０は、制御部１８０の制御下において、外部の電源、内部の電源の印加を受けて移動端末機１００に含まれる各構成要素に電源を供給する。このような電源供給部１９０は、バッテリーを含み、前記バッテリーは内蔵型バッテリーまたは差し替え可能な形態のバッテリーとすることができる。
【００３９】
前記各構成要素の内の少なくとも一部は、以下に説明される様々な実施の形態に係る移動端末機の動作、制御、または制御方法を実現するために互いに協力して動作することができる。また、前記移動端末機の動作、制御、または制御方法は、前記メモリ１７０に記憶された少なくとも一つのアプリケーションの駆動によって移動端末機上で実現することができる。
【００４０】
以下では、詳細に説明した移動端末機１００を介して実現される様々な実施の形態を見る前に、前記の列挙された構成要素に対して図１Ａを参照して、さらに具体的に見る。
【００４１】
まず、無線通信部１１０について注意深く見ると、無線通信部１１０の放送受信モジュール１１１は、放送チャンネルを介して外部の放送管理サーバから放送信号及び/または放送関連情報を受信する。前記放送チャンネルは、衛星放送チャンネル、地上波チャンネルを含むことができる。少なくとも２つの放送チャンネルの同時放送受信または放送チャネルスイッチングのために２つ以上の前記放送受信モジュールが、前記移動端末機１００に提供することができる。
【００４２】
移動通信モジュール１１２は、移動通信のための技術標準または通信方式（例えば、ＧＳＭ（Global System for Mobile communication）、ＣＤＭＡ（Code Division Multi Access）、ＣＤＭＡ2000（Code Division Multi Access2000）、ＥＶ −ＤＯ（Enhanced Voice-Data Optimized or Enhanced Voice-Data Only）、ＷＣＤＭＡ（Wideband ＣＤＭＡ）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ （Long Term Evolution-Advanced）など）に応じて、構築された移動通信網上で基地局、外部の端末、サーバの内、少なくとも１つと無線信号を送受信する。
【００４３】
前記無線信号は、音声呼信号、ビデオ通話呼信号または文字/マルチメディアメッセージの送受信による様々な形態のデータを含むことができる。
【００４４】
無線インターネットモジュール１１３は、無線インターネット接続のためのモジュールを言うことで、移動端末機１００に内蔵されるか、または外蔵されることができる。無線インターネットモジュール１１３は、無線インターネット技術に係るネットワークからの無線信号を送受信するように行われる。
【００４５】
無線インターネット技術においては、例えば、ＷＬＡＮ（Wireless ＬＡＮ）、Ｗｉ−Ｆｉ（Wireless-Fidelity）、Ｗｉ−Ｆｉ（Wireless Fidelity）Direct、ＤＬＮＡ（Digital Living Network Alliance）、ＷｉＢｒｏ（Wireless Broadband）、ＷｉＭＡＸ（WorldInteroperability for Microwave Access）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution-Advanced）などがあり、前記無線インターネットモジュール１１３は、前記で羅列されないインターネット技術まで含めた範囲の少なくとも１つの無線インターネット技術に基づいてデータを送受信することになる。
【００４６】
ＷｉＢｒｏ、ＨＳＤＰＡ、ＨＳＵＰＡ、ＧＳＭ、ＣＤＭＡ、ＷＣＤＭＡ、ＬＴＥ、ＬＴＥ−Ａ等による無線インターネット接続は、移動通信網を介して行われる観点から見ると、前記移動通信網を介して無線インターネット接続を実行する前記無線インターネットモジュール１１３は、前記移動通信モジュール１１２の一種として理解することもできる。
【００４７】
近距離通信モジュール１１４は、近距離通信（Short range communication）のためのものであり、ブルートゥース（BluetoothTM）、ＲＦＩＤ（Radio Frequency Identification）、赤外線通信（Infrared Data Association; ＩｒＤＡ）、ＵＷＢ（Ultra Wideband）、ＺｉｇＢｅｅ、ＮＦＣ （Near Field Communication）、Ｗｉ−Ｆｉ（Wireless-Fidelity）、Ｗｉ−Ｆｉ Direct、Wireless ＵＳＢ（Wireless Universal Serial Bus）技術の内の少なくとも一つを用いて、近距離通信をサポートすることができる。このような、近距離通信モジュール１１４は、近距離無線通信網（Wireless Area Networks）を介して移動端末機１００と無線通信システムとの間、移動端末機１００と、他の移動端末機１００との間、または移動端末機１００と、他の移動端末機（１００、または外部サーバ）が位置するネットワークとの間の無線通信をサポートすることができる。前記近距離無線通信網は、近距離無線個人エリアネットワーク（Wireless Personal Area Networks）で有り得る。
【００４８】
ここにおいて、他の移動端末機１００は、本発明に係る移動端末機１００とデータを互いに交換することが可能な（または連動可能な）ウェアラブルデバイス（wearable device、例えば、スマートウォッチ（smartwatch）、スマートグラス（smart glass）、ＨＭＤ（head mounted display））になることができる。近距離通信モジュール１１４は、移動端末機１００の周りに、前記移動端末機１００と通信可能なウェアラブルデバイスを感知（または認識）することができる。さらに、制御部１８０は、前記感知されたウェアラブルデバイスが、本発明に係る移動端末機１００と通信するように認証されたデバイスである場合、移動端末機１００で処理されるデータの少なくとも一部を、前記近距離通信モジュール１１４を介してウェアラブルデバイスに伝送することができる。したがって、ウェアラブルデバイスのユーザーは、移動端末機１００で処理されるデータを、ウェアラブルデバイスを介して用いることができる。たとえば、これに係れば、ユーザーは、移動端末機１００に電話が受信された場合、ウェアラブルデバイスを介して通話を行うか、移動端末機１００にメッセージが受信された場合、ウェアラブルデバイスを介して前記受信されたメッセージを確認することが可能である。
【００４９】
位置情報モジュール１１５は、移動端末機の位置（または現在の位置）を獲得するためのモジュールとして、その代表的な例としては、ＧＰＳ（Global Positioning System）モジュールまたはＷｉＦｉ（Wireless Fidelity）モジュールがある。たとえば、移動端末機は、ＧＰＳモジュールを活用すれば、ＧＰＳ衛星から送信される信号を用いて、移動端末機の位置を獲得することができる。別の例として、移動端末機は、Ｗｉ−Ｆｉモジュールを活用すれば、Ｗｉ−Ｆｉモジュールと無線信号を送信または受信する無線ＡＰ（Wireless Access Point）の情報に基づいて、移動端末機の位置を獲得することができる。必要に応じて、位置情報モジュール１１５は、置換又は付加的に移動端末機の位置に関するデータを取得するために、無線通信部１１０の他のモジュールの内、いずれかの機能を実行することができる。位置情報モジュール１１５は、移動端末機の位置（または現在の位置）を獲得するために用いられるモジュールとして、移動端末機の位置を直接計算するか、または獲得するモジュールに限定されない。
【００５０】
次に、入力部１２０は、映像情報（または信号）、オーディオ情報（または信号）、データ、またはユーザーから入力される情報の入力のためのものであり、映像情報の入力のために、移動端末機１００は、一つまたは複数のカメラ１２１を備えることができる。カメラ１２１は、ビデオ通話モードまたは撮影モードでイメージセンサにより得られる静止画または動画などのイメージフレームを処理する。処理されたイメージフレームは、ディスプレイ部１５１に表示されるかメモリ１７０に記憶することができる。一方、移動端末機１００に備えられる複数のカメラ１２１は、マトリックス構造をなすように配置することができ、このようにマトリックス構造をなすカメラ１２１を介して、移動端末機１００には、様々な角度または焦点を有する複数の映像情報が入力することができる。また、複数のカメラ１２１は、立体映像を実現するための左映像と右映像を獲得するように、ステレオ構造で配置することができる。
【００５１】
マイクロフォン１２２は、外部の音響信号を電気的な音声データに処理する。処理された音声データは、移動端末機１００で実行されている機能（または実行中のアプリケーション）に応じて多様に活用することができる。一方、マイクロフォン１２２には、外部の音響信号の入力を受ける過程で発生するノイズ（noise）を除去するための様々なノイズ除去アルゴリズムが実現されることがある。
【００５２】
ユーザー入力部１２３は、ユーザーからの情報の入力を受けるためのものであり、ユーザ入力部１２３を介して情報が入力されると、制御部１８０は、入力された情報に対応するように移動端末機１００の動作を制御することができる。このような、ユーザー入力部１２３は、機械式（mechanical）入力手段（または、メカニカルキー、例えば、移動端末機１００の前／背面または側面に位置するボタン、ドームスイッチ（dome switch）、ジョグホイール、ジョグスイッチなど）とタッチ入力手段を含むことができる。一例として、タッチ入力手段は、ソフトウェア的な処理を介して、タッチスクリーンに表示される仮想キー（virtual key）、ソフトキー（soft key）またはビジュアルキー（visual key）で行われたり、前記タッチスクリーン以外の部分に配置されるタッチキー（touch key）で行うことができる。一方、前記仮想キーまたはビジュアルキーは、様々な形態を有しながら、タッチスクリーン上に表示されることが可能であり、例えば、グラフィックス（graphic）、テキスト（text）、アイコン（icon）、ビデオ（video）またはこれらの組み合わせで行うことができる。
【００５３】
一方、センシング部１４０は、移動端末機内の情報、移動端末機を取り囲んだ周辺環境の情報とユーザー情報の内、少なくとも一つをセンシングし、これに対応するセンシング信号を発生させる。制御部１８０は、このようなセンシング信号に基づいて、移動端末機１００の駆動または動作を制御したり、移動端末機１００に設置したアプリケーションに関連するデータ処理、機能、または動作を実行することができる。センシング部１４０に含めることができる様々なセンサの内、代表的なセンサに対して、さらに具体的に注意深く見る。
【００５４】
まず、近接センサ１４１は、所定の感知面に接近する物体、あるいは周辺に存在する物体の有無を電磁界の力または赤外線などを用いて、機械的接触がなく感知するセンサをいう。このような近接センサ１４１は、上で注意深く見たタッチスクリーンによって包み込まれる移動端末機の内部領域又は前記タッチスクリーンの近くに近接センサ１４１が配置されることができる。
【００５５】
近接センサ１４１の例としては、透過型光電センサ、直接反射型光電センサ、ミラー反射型光電センサ、高周波発振型近接センサ、静電容量型近接センサ、磁気型近接センサ、赤外線近接センサなどがある。タッチスクリーンが停電式の場合に、近接センサ１４１は、導電性を有する物体の近接に伴う電界の変化に前記物体の近接を感知するように構成することができる。この場合、タッチスクリーン（またはタッチセンサ）自体が近接センサに分類することができる。
【００５６】
一方、説明の便宜のために、タッチスクリーン上に物体が接触されずに近接され、前記物体が前記タッチスクリーン上に位置するのが認識されるようにする行為を「近接タッチ（proximity touch）」と命名し、前記タッチスクリーン上に物体が実際に接触する行為を「接触タッチ（contact touch）」と命名する。前記タッチスクリーン上で物体が近接タッチされる位置とは、前記物体が近接タッチされるとき、前記物体が前記タッチスクリーンについて垂直に対応する位置を意味する。前記近接センサ１４１は、近接タッチと、近接タッチパターン（例えば、近接タッチ距離、近接タッチ方向、及び近接タッチ速度、及び近接タッチ時間、近接タッチ位置、及び近接タッチ／移動状態など）を感知することができる。
【００５７】
一方、制御部１８０は、前記のように、近接センサ１４１を介して感知された近接タッチ動作及び近接タッチパターンに対応するデータ（または情報）を処理し、さらに、処理されたデータに対応する視覚的な情報をタッチスクリーン上に出力させることができる。
【００５８】
さらに、制御部１８０は、タッチスクリーン上の同じ地点のタッチが、近接タッチであるか、または接触タッチであるかに応じて、互いに異なる動作またはデータ（または情報）が処理されるように移動端末機１００を制御することができる。
【００５９】
タッチセンサは、抵抗膜方式、静電容量方式、赤外線方式、超音波方式、磁気場方式など、様々なタッチ方式の内、少なくとも一つを用いて、タッチスクリーン（またはディスプレイ部１５１）に加えられるタッチ（またはタッチ入力）を感知する。
【００６０】
一例として、タッチセンサは、タッチスクリーンの特定の部位に加えられた圧力または特定の部位に発生する静電容量などの変化を電気的な入力信号に変換するように構成することができる。タッチセンサは、タッチスクリーン上にタッチを加えるタッチ対象体がタッチセンサ上にタッチされる位置、面積、タッチ時の圧力、タッチ時の静電容量などを感知することができるように構成することができる。ここで、タッチ対象体は、前記タッチセンサにタッチを印加する物体として、例えば、指、タッチペンやスタイラスペン（Stylus pen）、ポインタなどがされることができる。
【００６１】
このように、タッチセンサのタッチ入力がある場合、それに対応する信号（s）は、タッチ制御機器に送られる。タッチ制御機器は、その信号を処理した後、対応するデータを制御部１８０に伝送する。これにより、制御部１８０は、ディスプレイ部１５１のいずれかの領域がタッチされたかどうかなどを知ることができるようになる。ここで、タッチ制御機器は、制御部１８０とは別の構成要素であることができ、制御部１８０自体で有り得る。
【００６２】
一方、制御部１８０は、タッチスクリーン（またはタッチスクリーン以外に備えたタッチキー）をタッチする、タッチ対象体の種類に応じて互いに異なる制御を実行するか、同じ制御を行うことができる。タッチ対象体の種類に応じて互いに異なる制御を実行するか、または同じ制御を実行するかは、現在の移動端末機１００の動作状態または実行中のアプリケーションに応じて決定することができる。
【００６３】
一方、上で注意深く見たタッチセンサ及び近接センサは、独立して、または組み合わされて、タッチスクリーンのショット（またはタブ）タッチ（short touch）、ロングタッチ（long touch）、マルチタッチ（multi touch）、ドラッグタッチ（drag touch）、フリックタッチ（flick touch）、ピンチ-インタッチ（pinch-in touch）、ピンチ-アウトタッチ（pinch-outタッチ）、スワイプ（swype）タッチ、ホバリング（hovering）タッチなどのような、様々な方法のタッチをセンシングすることができる。
【００６４】
超音波センサは、超音波を用いて、感知対象の位置情報を認識することができる。一方、制御部１８０は、光センサと、複数の超音波センサから感知される情報を介して、波動発生源の位置を算出することが可能である。波動発生源の位置は、光が超音波より非常に速い性質、すなわち、光が光センサに到達する時間が超音波が超音波センサに到達する時間より非常に速いことを用いて、計算することができる。さらに具体的には、光を基準信号として超音波が到達する時間との時間差を用いて、波動発生源の位置が算出することができる。
【００６５】
一方、入力部１２０の構成で見た、カメラ１２１は、カメラのセンサ（例えば、ＣＣＤ、ＣＭＯＳなど）、フォトセンサ（またはイメージセンサ）とレーザーセンサの内、少なくとも一つを含む。
【００６６】
カメラ１２１とレーザーセンサは、互いに組み合わされ、３次元立体映像の感知対象のタッチを感知することができる。フォトセンサは、ディスプレイ素子に積層されることがあり、このようなフォトセンサは、タッチスクリーンに近い感知対象の動きをスキャンするように行われる。さらに具体的には、フォトセンサは、行/列にPhoto DiodeとＴＲ（Transistor）を実装してPhoto Diodeに印加される光の量に応じて変化する電気的信号を用いて、フォトセンサの上に上がる内容をスキャンする。つまり、フォトセンサは、光の変化量に応じた感知対象の座標計算を実行し、これにより感知対象の位置情報が獲得されることがある。
【００６７】
ディスプレイ部１５１は、移動端末機１００で処理される情報を表示（出力）する。たとえば、ディスプレイ部１５１は、移動端末機１００で駆動されるアプリケーションの実行画面情報、またはこのような実行画面情報に応じたＵＩ（User Interface）、ＧＵＩ（Graphic User Interface）情報を表示することができる。
【００６８】
また、前記ディスプレイ部１５１は、立体映像を表示する立体ディスプレイ部として構成することができる。
【００６９】
前記立体ディスプレイ部には、ステレオスコピック方式（眼鏡方式）、オートステレオスコピック方式（無眼鏡方式）、プロジェクション方式（ホログラフィック方式）などの３次元ディスプレイ方式が適用されることができる。
【００７０】
音響出力部１５２は、呼信号の受信、通話モードまたは録音モード、音声認識モード、放送受信モードなどで、無線通信部１１０から受信したり、メモリ１７０に記憶されたオーディオデータを出力することができる。音響出力部１５２は、移動端末機１００で実行される機能（例えば、呼信号の受信音、メッセージ受信音など）に関連する音響信号を出力することもある。このような音響出力部１５２には、レシーバ（receiver）、スピーカー（speaker）、ブザー（buzzer）などが含まれることがある。
【００７１】
ハプティックモジュール（haptic module）１５３は、ユーザーが感じることができる、様々な触覚効果を発生させる。ハプティックモジュール１５３が発生させる触覚効果の代表的な例としては、振動になることができる。ハプティックモジュール１５３から発生する振動の強さとパターンなどは、ユーザーの選択または制御部の設定によって制御することができる。たとえば、前記ハプティックモジュール１５３は、たがいに異なる振動を合成して出力したり、順次出力することもできる。
【００７２】
ハプティックモジュール１５３は、振動以外にも、接触皮膚面に対して垂直運動するピン配列、噴射口や吸入口を介する空気の噴射力や吸引力、皮膚表面のかすめ、電極（electrode）の接触、静電気力などの刺激による効果と、吸熱や発熱可能な素子を用いた冷温感再現による効果など、様々な触覚効果を発生させることができる。
【００７３】
ハプティックモジュール１５３は、直接接触を介して触覚効果を伝達することができるだけでなく、ユーザーが指や腕などの筋感覚を通じて触覚効果を感じることができるように実現することもできる。ハプティックモジュール１５３は、移動端末機１００の構成の態様に応じて、２つ以上が備えられることができる。
【００７４】
光出力部１５４は、移動端末機１００の光源の光を用いて、イベントの発生を知らせるための信号を出力する。移動端末機１００から発生されるイベントの例には、メッセージの受信、呼信号の受信、不在着信、アラーム、日程お知らせ、電子メールの受信、アプリケーションを通じた情報の受信などがなることがある。
【００７５】
光出力部１５４が出力する信号は、移動端末機が前面または背面に単色や複数の色の光を発光することにより実現される。前記信号出力は、移動端末機がユーザのイベントの確認を感知することによって終了することができる。
【００７６】
インターフェース部１６０は、移動端末機１００に接続されるすべての外部機器との通路の役割をする。インターフェース部１６０は、外部機器からのデータの伝送を受けたり、電源の供給を受け、移動端末機１００の内部の各構成要素に伝達したり、移動端末機１００の内部のデータが外部機器に伝送されるようにする。たとえば、有/無線ヘッドセットポート（port）、外部充電ポート（port）、有/無線データポート（port）、メモリーカード（memory card）ポート（port）、識別モジュールが備えられた装置を接続するポート（port）、オーディオＩ/Ｏ（Input/Output）ポート（port）、ビデオＩ/Ｏ（Input/Output）ポート（port）、イヤホンポート（port）などがインタフェース部１６０に含まれることができる。
【００７７】
一方、識別モジュールは、移動端末機１００の使用権を認証するための各種の情報を記憶したチップとして、ユーザー認証モジュール（user identify module; ＵＩＭ）、加入者認証モジュール（subscriber identity module; ＳＩＭ）、ユニバーサルユーザー認証モジュール（universal subscriber identity module; ＵＳＩＭ）などを含むことができる。識別モジュールが備えられた装置（以下「識別装置」）は、スマートカード（smart card）の形式で製作することができる。したがって、識別装置は、前記インタフェース部１６０を介して端末機１００と接続することができる。
【００７８】
また、前記インターフェース部１６０は、移動端末機１００が外部クレードル（cradle）と接続するとき、前記クレードルからの電源が、前記移動端末機１００に供給される通路になったり、ユーザーにより前記クレードルから入力される各種コマンド信号が前記移動端末機１００に伝達される通路になることができる。前記クレードルから入力される各種コマンド信号または前記電源は、前記移動端末機１００が前記クレードルにしっかり装着されたことを認知するための信号で動作することができる。
【００７９】
メモリ１７０は、制御部１８０の動作のためのプログラムを記憶することができ、入力/出力されるデータの（例えば、電話帳、メッセージ、静止画、動画など）を一時的に記憶することもできる。前記メモリ１７０は、前記タッチスクリーン上のタッチ入力時に出力される様々なパターンの振動と音に関するデータを記憶することができる。
【００８０】
メモリ１７０は、フラッシュメモリタイプ（flash memory type）、ハードディスクタイプ（hard disk type）、ＳＳＤタイプ（Solid State Disk type）、ＳＤＤタイプ（Silicon Disk Drive type）、マルチメディアカード、マイクロタイプ（multimedia card micro type ）、カードタイプのメモリ（例えば、ＳＤまたはＸＤメモリなど）、ラム（random access memory; ＲＡＭ）、ＳＲＡＭ（static random access memory）、ロム（read-only memory; ＲＯＭ）、ＥＥＰＲＯＭ（electrically erasable programmable read-onlymemory）、ＰＲＯＭ（programmable read-only memory）、磁気メモリ、磁気ディスク、及び光ディスクの内少なくとも一つのタイプの記憶媒体を含むことができる。移動端末機１００は、インターネット（internet）上で前記メモリ１７０の記憶機能を実行するウェブストレージ（web storage）と関連して動作することもできる。
【００８１】
一方、前述したように、制御部１８０は、アプリケーションに関連する動作と、通常の移動端末機１００の全般的な動作を制御する。たとえば、制御部１８０は、前記移動端末機の状態が設定された条件を満たしていると、アプリケーションに対するユーザーの制御コマンドの入力を制限するロック状態を実行したり、解除することができる。
【００８２】
また、制御部１８０は、音声通話、データ通信、ビデオ通話などに関連する制御及び処理を実行するか、タッチスクリーン上で行われる手書き入力または絵描きの入力を、それぞれ文字及びイメージとして認識することができるパターン認識処理を行うことができる。さらに制御部１８０は、以下で説明される様々な実施の形態を、本発明に係る移動端末機１００上で実現するために、上に注意深く見た構成要素の内、いずれか、または複数を組み合わせて制御することができる。
【００８３】
電源供給部１９０は、制御部１８０の制御により、外部の電源、内部の電源の印加を受け、各構成要素の動作に必要する電源を供給する。電源供給部１９０は、バッテリーを含み、バッテリーは充電できるようになる内蔵型バッテリーになることがあり、充電などのために端末機の本体に着脱可能に結合することができる。
【００８４】
また、電源供給部１９０は、接続ポートを備えることができ、接続ポートは、バッテリーの充電のために電源を供給する外部充電器が電気的に接続されるインタフェース１６０の一例として構成することができる。
【００８５】
別の例として、電源供給部１９０は、前記接続ポートを用いずに無線方式でバッテリーを充電するように行うことができる。この場合に、電源供給部１９０は、外部の無線電力伝送装置から磁気誘導現象に基づく誘導結合（Inductive Coupling）方式や電磁気的共振現象に基づく共振結合（Magnetic Resonance Coupling）方式の内、いずれか１つ以上を用いて電力の伝達を受けることができる。
【００８６】
一方、以下の様々な実施の形態は、例えば、ソフトウェア、ハードウェア、またはこれらの組み合わせされたことを用いて、コンピュータまたは同様のデバイスで読むことができる記録媒体内で実現することができる。
【００８７】
図１Ｂ、及び図１Ｃを参照すると、開示された移動端末機１００は、バー形態の端末機本体を備えている。ただし、本発明は、これに限られずウォッチタイプ、クリップタイプ、グラスタイプまたは２以上のボディが相対移動可能に結合されるフォルダタイプ、フリップタイプ、スライドタイプ、スイングタイプ、旋回タイプなど、様々な構造に適用することができる。移動端末機の特定のタイプに関連することであるが、移動端末機の特定の種類の説明は、他のタイプの移動端末機に一般的に適用することができる。
【００８８】
ここで、端末機本体は、移動端末機１００を少なくとも一つの集合体として見て、これを指す概念として理解することができる。
【００８９】
移動端末機１００は、外観をなすケース（例えば、フレーム、ハウジング、カバーなど）を含む。示されたように、移動端末機１００は、フロントケース１０１とリアケース１０２を含むことができる。フロントケース１０１とリアケース１０２の結合によって形成される内部空間には、各種電子部品が配置される。フロントケース１０１とリアケース１０２との間には、少なくとも一つのミドルケースが追加で配置することができる。
【００９０】
端末機本体の前面には、ディスプレイ部１５１が配置されて情報を出力することができる。示されたように、ディスプレイ部１５１のウィンドウ１５１ａは、フロントケース１０１に装着されフロントケース１０１と共に端末機本体の前面を形成することができる。
【００９１】
場合によって、リアケース１０２にも電子部品が装着されることができる。リアケース１０２に装着可能な電子部品は、着脱可能なバッテリー、識別モジュール、メモリカードなどがある。この場合、リアケース１０２には、装着された電子部品を覆うための背面カバー１０３が着脱可能に結合することができる。したがって、背面カバー１０３がリアケース１０２から分離されると、リアケース１０２に装着された電子部品は、外部に露出される。
【００９２】
示されたように、背面カバー１０３がリアケース１０２に結合されると、リアケース１０２の側面の一部が露出することができる。場合によって、前記結合時リアケース１０２は、背面カバー１０３によって完全に隠れてしまうこともある。一方、背面カバー１０３には、カメラ１２１ｂや音声出力部１５２ｂを外部に露出させるための開口部が備えられることができる。
【００９３】
このようなケース（１０１、１０２、１０３）は、合成樹脂を射出して形成されるか、金属、例えばステンレス鋼（ＳＴＳ）、アルミニウム（Ａｌ）、チタン（Ｔｉ）などで形成することもできる。
【００９４】
移動端末機１００は、複数のケースが各種電子部品を収容する内部空間を設ける前記の例とは異なり、一つのケースが前記内部空間を設けるように構成することもできる。この場合、合成樹脂または金属が側面から背面につながるユニボディの移動端末機１００が実現されることができる。
【００９５】
一方、移動端末機１００は、端末機の本体の内部に水が入らないようにする防水部（図示せず）を備えることができる。たとえば、防水部ウィンドウ１５１ａとフロントケース１０１との間、フロントケース１０１とリアケース１０２との間またはリアケース１０２と背面カバー１０３との間に備えられ、これらの結合時の内部空間を密閉する防水部材を含むことができる。
【００９６】
移動端末機１００には、ディスプレイ部１５１、第１及び第２の音響出力部（１５２ａ、１５２ｂ）、近接センサ１４１、照度センサ１４２、光出力部１５４、第１及び第２カメラ（１２１ａ、１２１ｂ）、第１及び第２操作ユニット（１２３ａ、１２３ｂ）、マイクロフォン１２２、インターフェース部１６０などが備えられることができる。
【００９７】
以下においては、図１Ｂ及び図１Ｃに示すように、端末機本体の前面にディスプレイ部１５１、第１音響出力部１５２ａ、近接センサ１４１、照度センサ１４２、光出力部１５４、第１カメラ１２１ａ及び第１操作ユニット１２３ａが配置され、端末機本体の側面に第２操作ユニット１２３ｂ、マイクロフォン１２２とインタフェース部１６０が配置され、端末機本体の背面に第２音響出力部１５２ｂ及び第２カメラ１２１ｂが配置された移動端末機１００を一例として挙げて説明する。
【００９８】
ただし、これらの構成は、このような配置に限定されるものではない。これらの構成は、必要に応じて、除外または取り替えられるか、他の面に配置されることができる。たとえば、端末機本体の前面には、第１操作ユニット１２３ａが備えられないことがあり、第２音響出力部１５２ｂは、端末機本体の背面ではない、端末機本体の側面に備えられることがある。
【００９９】
ディスプレイ部１５１は、移動端末機１００で処理される情報を表示（出力）する。たとえば、ディスプレイ部１５１は、移動端末機１００で駆動されるアプリケーションの実行画面情報、またはこれらの実行画面情報に応じたＵＩ（User Interface）、ＧＵＩ（Graphic User Interface）情報を表示することができる。
【０１００】
ディスプレイ部１５１は、液晶ディスプレイ（liquid crystal display、ＬＣＤ）、薄膜トランジスタ液晶ディスプレイ（thin film transistor-liquid crystal display、ＴＦＴ ＬＣＤ）、有機発光ダイオード（organic light-emitting diode、ＯＬＥＤ）、フレキシブルディスプレイ（flexible display）、３次元ディスプレイ（３Ｄ display）、電子インクディスプレイ（e-ink display）の中から少なくとも一つを含むことができる。
【０１０１】
また、ディスプレイ部１５１は、移動端末機１００の実現形態に応じて、２つ以上存在することができる。この場合、移動端末機１００には、複数のディスプレイ部が一つの面に離隔されたり一体に配置することができ、また、互いに異なる面にそれぞれ配置することもある。
【０１０２】
ディスプレイ部１５１は、タッチ方式によって制御コマンドの入力を受けることができるように、ディスプレイ部１５１のタッチを感知するタッチセンサを含むことができる。
【０１０３】
これを用いて、ディスプレイ部１５１に対してタッチが行われると、タッチセンサは、前記タッチを感知し、制御部１８０は、これに基づいて、前記タッチに対応する制御コマンドを発生させるように行うことができる。タッチ方式によって入力される内容は、文字または数字であるか、様々なモードでの指示または指定可能なメニュー項目などで有り得る。
【０１０４】
一方、タッチセンサは、タッチパターンを備えるフィルム状で構成され、ウィンドウ１５１ａと、ウィンドウ１５１ａの背面上のディスプレイ（図示せず）との間に配置されるか、ウィンドウ１５１ａの背面に直接パターニングされるメタルワイヤになることもある。
【０１０５】
または、タッチセンサは、ディスプレイと一体に形成することができる。たとえば、タッチセンサは、ディスプレイの基板上に配置されるか、ディスプレイの内部に備えられることができる。
【０１０６】
このように、ディスプレイ部１５１は、タッチセンサと一緒にタッチスクリーンを形成することができ、この場合に、タッチスクリーンは、ユーザー入力部（１２３、図１Ａを参照）で機能することができる。場合によって、タッチスクリーンは、第１操作ユニット１２３ａの少なくとも一部の機能を代替することができる。
【０１０７】
第１音響出力部１５２ａは、通話音をユーザーの耳に伝達させるレシーバ（receiver）として実現することができ、第２音響出力部１５２ｂは、各種アラーム音やマルチメディアの再生音を出力するスピーカー（loud speaker）の形で実現することができる。
【０１０８】
ディスプレイ部１５１のウィンドウ１５１ａには、第１音響出力部１５２ａから発生されるサウンド(sound)の放出のための音響ホールが形成されることができる。ただし、本発明はこれに限定されるものではなく、前記サウンドは構造物との間の組み立て隙間（例えば、ウィンドウ１５１ａとフロントケース１０１との間の隙間）に沿って放出されるように構成することができる。この場合、外観上の音響出力のために独立して形成されるホールが見えないか、隠されて移動端末機１００の外観がさらにシンプルになることができる。
【０１０９】
光出力部１５４は、イベントの発生時にこれを知らせるための光を出力するように行われる。前記イベントの例としては、メッセージの受信、呼信号を受信、不在着信、アラーム、日程お知らせ、電子メールの受信、アプリケーションを通じた情報の受信などを挙げることができる。制御部１８０は、ユーザーのイベントの確認が感知されると、光の出力が終了されるように光出力部１５４を制御することができる。
【０１１０】
第１カメラ１２１ａは、撮影モードまたはビデオ通話モードでイメージセンサにより得られる静止画または動画のイメージフレームを処理する。処理されたイメージフレームは、ディスプレイ部１５１に表示されることができ、メモリ１７０に記憶することができる。
【０１１１】
第１及び第２操作ユニット（１２３ａ、１２３ｂ）は、移動端末機１００の動作を制御するためのコマンドの入力を受けるために操作されるユーザー入力部１２３の一例として、操作部（manipulating portion）とも通称されることができる。
【０１１２】
第１及び第２の操作ユニット（１２３ａ、１２３ｂ）は、タッチ、プッシュ、スクロールなどのユーザーが触覚的な感じを受けながら操作することになる方式（tactile manner）であれば、どのような方法でも採用することができる。また、第１及び第２操作ユニット（１２３ａ、１２３ｂ）は、近接タッチ（proximity touch）、ホバリング（hovering）タッチなどを通じてユーザーの触覚的な感じせずに操作することになる方式にも採用することができる。
【０１１３】
本図では、第１操作ユニット１２３ａがタッチキー（touch key）であることに例示するが、本発明がこれに限定されるものではない。たとえば、第１操作ユニット１２３ａは、メカニカルキー（mechanical key）になるか、タッチキーとメカニカルキーの組み合わせで構成することができる。
【０１１４】
第１及び第２操作ユニット（１２３ａ、１２３ｂ）によって入力される内容は、多様に設定することができる。たとえば、第１操作ユニット１２３ａは、メニュー、溝キー、キャンセル、検索などのコマンドの入力を受け、第２操作ユニット１２３ｂは、第１または第２音響出力部（１５２ａ、１５２ｂ）から出力される音響のサイズ調整、ディスプレイ部１５１のタッチ認識モードへの切り替えなどのコマンドの入力を受けることができる。
【０１１５】
一方、端末機本体の背面には、ユーザー入力部１２３の他の一例として、背面入力部（図示せず）が備えられることがある。このような背面入力部は移動端末機１００の動作を制御するためのコマンドの入力を受けるため操作されることとして、入力される内容は、多様に設定することができる。たとえば、電源のオン/オフ、開始、終了、スクロールなどのような命令、第１及び第２音響出力部（１５２ａ、１５２ｂ）から出力される音響のサイズ調整、ディスプレイ部１５１のタッチ認識モードにの切り替えなどのようなコマンドの入力を受けることができる。背面入力部はタッチ入力、プッシュ入力、またはこれらの組み合わせによる入力が可能な形で実現することができる。
【０１１６】
背面入力部は端末機本体の厚さ方向に前面のディスプレイ部１５１と、重畳されるように配置することができる。一例として、ユーザーが端末機本体を片手で握ったときに人差し指を用いて容易に操作できるように、背面入力部は端末機本体の背面上端部に配置することができる。ただし、本発明は、必ずしもこれに限定されるものではなく、背面入力部の位置は変更することができる。
【０１１７】
このように端末機本体の背面に背面入力部が備えられる場合、これを用いる新しいタイプのユーザインタフェースが実現されることができる。また、前述したタッチスクリーンまたは背面入力部が端末機本体の前面に備えられる第１操作ユニット１２３ａの少なくとも一部の機能を代替して、端末機本体の前面に第１操作ユニット１２３ａが未配置される場合、ディスプレイ部１５１がさらに大画面で構成することができる。
【０１１８】
一方、移動端末機１００には、ユーザーの指紋を認識する指紋認識センサが備えられることがあり、制御部１８０は、指紋認識センサを介して感知される指紋情報を認証手段として用いることがある。前記指紋認識センサは、ディスプレイ部１５１またはユーザー入力部１２３に内蔵することができる。
【０１１９】
マイクロフォン１２２は、ユーザーの音声、その他の音などの入力を受けるように行われる。マイクロフォン１２２は、複数の箇所に備えてステレオ音響の入力を受けるように構成することができる。
【０１２０】
インターフェース部１６０は、移動端末機１００を外部機器と接続することができる通路となる。たとえば、インターフェース部１６０は、他のデバイス（例えば、イヤホン、外部スピーカー）との接続のための接続端子、近距離通信用のポート[例えば、赤外線ポート（ＩｒＤＡ Ｐｏｒｔ）、ブルートゥースポート（Bluetooth Port）、無線ＬＡＮポート（Wireless ＬＡＮ Port）など]、または移動端末機１００に電源を供給するための電源供給端子の内、少なくとも一つで有り得る。このようなインタフェース部１６０は、ＳＩＭ（Subscriber Identification Module）またはＵＩＭ（User Identity Module）、情報を記憶するためのメモリカードなどの外装型カードを収容するソケットの形で実現することもある。
【０１２１】
端末機本体の背面には、第２カメラ１２１ｂが配置されることができる。この場合、第２カメラ１２１ｂは、第１カメラ１２１ａと実質的に反対される撮影方向を有するようになる。
【０１２２】
第２カメラ１２１ｂは、少なくとも一つのラインに沿って配列される複数のレンズを含むことができる。複数のレンズは行列（matrix）の形式で配列することもできる。このようなカメラは、「アレイ（array）カメラ」と命名することができる。第２カメラ１２１ｂがアレイカメラで構成される場合、複数のレンズを用いて、様々な方法で映像を撮影することができ、さらに良い品質の映像を獲得することができる。
【０１２３】
フラッシュ１２４は、第２カメラ１２１ｂに隣接して配置することができる。フラッシュ１２４は、第２カメラ１２１ｂで被写体を撮影する場合に被写体に向けて光を照らすことになる。
【０１２４】
端末機本体には、第２音響出力部１５２ｂが追加で配置することができる。第２音響出力部１５２ｂは、第１音響出力部１５２ａと一緒にステレオ機能を実現することができ、通話時スピーカーフォンモードの実現のために用いることもある。
【０１２５】
端末機本体には、無線通信のための少なくとも１つのアンテナが備えられることがある。アンテナは、端末機本体に内蔵されたり、ケースに形成することができる。たとえば、放送受信モジュール（１１１、図１Ａを参照）の一部をなすアンテナは端末機本体から引出さ可能に構成することができる。または、アンテナはフィルムタイプで形成されて背面カバー１０３の内側面に付着することもあり、導電性材質を含むケースがアンテナとして機能するように構成することもある。
【０１２６】
端末機本体には、移動端末機１００に電源を供給するための電源供給部（１９０、図１Ａを参照）が備える。電源供給部１９０は、端末機本体に内蔵されたり、端末機本体の外部から着脱可能に構成されるバッテリー１９１を含むことができる。
【０１２７】
バッテリー１９１は、インタフェース部１６０に接続される電源ケーブルを介して電源の供給を受けるように構成することができる。また、バッテリー１９１は、無線充電機器を介して無線充電できるように構成することもできる。前記無線充電は、自己誘導方式または共振方式（磁気共鳴方式）によって実現することができる。
【０１２８】
一方、本図では、背面カバー１０３がバッテリー１９１を覆うようにリアケース１０２に結合され、バッテリー１９１の離脱を制限しバッテリー１９１を外部衝撃や異物から保護するように構成されたことを例示している。バッテリー１９１が端末機本体に着脱可能に構成される場合、背面カバー１０３は、リアケース１０２に着脱可能に結合することができる。
【０１２９】
移動端末機１００には、外観を保護したり、移動端末機１００の機能を補助または拡張させるアクセサリーを追加することができる。このようなアクセサリーの一例として、移動端末機１００の少なくとも一面を覆うか、または収容するカバーまたはポーチを挙げることができる。カバーまたはポーチは、ディスプレイ部１５１と連動して移動端末機１００の機能を拡張させるように構成することができる。アクセサリーの他の一例として、タッチスクリーンのタッチ入力を補助または拡張するためのタッチペンを挙げることができる。
【０１３０】
以下では、このように構成された移動端末機で実現することができる制御方法に関する実施の形態に対し、添付された図面を参照して、詳しく見る。本発明は、本発明の精神及び不可欠な特徴を逸脱しない範囲で他の特定の形で具体化されることができることは、当業者に自明である。
【０１３１】
以下、本発明の具体的な実施の形態を説明する。
【０１３２】
図２は、本発明に係る移動端末機の制御方法の一実施の形態に係るフローチャートである。
【０１３３】
図２を参照すると、移動端末機の制御部（図１Ａの１８０）は、少なくとも１つのコンテンツをディスプレイ部（図１Ａの１５１）に表示し（Ｓ１１０）、ディスプレイ部（図１Ａの１５１）を介して第１入力を受信することができる（Ｓ１２０）。
【０１３４】
制御部は、特定のアプリケーションを実行し、特定のアプリケーションの実行画面をディスプレイ部に表示することができる。特定のアプリケーションの実行画面は、少なくとも１つのコンテンツを含むことができる。ここで、コンテンツは、特定のアプリケーションの実行画面に含まれているイメージ、テキスト、テキストボックス、アイコン、及び図形などを含む単位アイテムを意味する。たとえば、ギャラリーアプリケーションの実行画面に含まれている少なくとも一つのイメージをコンテンツとして定義することができる。
【０１３５】
制御部は、少なくとも１つのコンテンツが表示されたディスプレイ部に対して、第１入力を受信することができる。第１入力は、第１対角線方向の連続タッチ入力で有り得、ディスプレイ部のベゼル領域で始まることができる。また、第１入力は、ディスプレイ部のベゼル領域の一地点のタッチ入力とタッチスクリーンの第１対角線方向の連続タッチ入力を一緒に受信する入力で有り得る。具体的には、制御部は、ディスプレイ部のベゼル領域で開始し、タッチスクリーンの横方向または縦方向と、特定の範囲の角度を有するドラッグ入力を受信する場合、第１入力として認識することができる。
【０１３６】
移動端末機の制御部（図１Ａの１８０）は、第１入力を受信することによって、少なくとも１つのコンテンツに関連する第１機能を実行して、第１結果画面をディスプレイ部（図１Ａの１５１）に表示することができる（Ｓ１３０）。
【０１３７】
制御部は、第１入力に対応する第１機能を予め設定することができる。第１機能は、第１入力を受信することによって動的に少なくとも１つのコンテンツを変更する機能で有り得る。例えば、制御部は、第１入力を受信することによって、少なくとも１つのコンテンツの表示スケールを徐々に増加または減少させることができる。制御部は、第１入力の長さ、方向、及び速度の内、少なくとも一つを用いて第１機能を段階的に調整することができる。
【０１３８】
制御部は、第１入力に応じて、第１機能が段階的に調整される場合、第１機能を実行した第１結果画面を動的に変更して表示することができる。たとえば、第１機能がコンテンツの表示スケールを段階的に増加させる機能である場合、制御部は、第１入力を受信することによって、少なくとも１つのコンテンツサイズを段階的に増加させてディスプレイ部に表示することができ、少なくとも一つのコンテンツのサイズが変更されることに応じて、少なくとも１つのコンテンツの配列方法を再構成することができる。
【０１３９】
移動端末機の制御部（図１Ａの１８０）は、第１入力に連続して第２入力を受信し、（Ｓ１４０）、第２入力を受信することによって、第１結果画面に関連する第２機能を実行して、第２結果画面をディスプレイ部（図１Ａの１５１）に表示することができる（Ｓ１５０）。
【０１４０】
制御部は、第１入力を解除にしていない状態で、連続して第２入力を受信することができる。具体的には、制御部は、第１入力の終了点から開始し、第１対角線方向と区分される第２対角線方向の連続タッチ入力を第２入力として認識することができる。具体的には、第２入力は、第１入力の終了点で開始され、第１入力と、他の方向に向かうドラッグ入力のことができる。また、第２入力は、ディスプレイ部のベゼル領域の一地点のタッチ入力とタッチスクリーンの第２対角線方向の連続タッチ入力を一緒に受信する入力で有り得る。
【０１４１】
制御部は、第２入力を受信することによって、第１結果画面に関連する第２機能を実行して、第２結果画面をディスプレイ部に表示することができる。制御部は、第２入力に対応する第２機能を予め設定することができ、第２機能を第１機能と対応する機能に設定することができる。このとき、第２機能は、第２入力の長さ、方向、及び速度に基づいて段階的に調整される機能で有り得る。
【０１４２】
制御部は、第１結果画面に含まれたコンテンツについて、第２機能を実行することができる。具体的に、制御部は、第１結果画面に表示さスケールが縮小されたコンテンツが含まれる場合、縮小されたコンテンツについて、第２機能を実行して、第２結果画面を生成することができる。制御部は、ディスプレイ部に表示された第１結果画面について第２機能を実行した第２結果画面をディスプレイ部に表示することができる。このとき、制御部は、第１結果画面の内、一部領域に関連する第２結果画面だけディスプレイ部に表示することができる場合、第１入力の終了点に表示された第１コンテンツに対応する第２結果画面の第２コンテンツがディスプレイ部の中心領域に表示されるように制御することができる。以下、第１入力の終了点に表示された第１結果画面のコンテンツを「第１コンテンツ」とし、第１コンテンツに対応する第２結果画面のコンテンツを「第２コンテンツ」と定義する。
【０１４３】
制御部は、第１入力または第２入力に対応する第１機能または第２機能をガイドするインジケーターをディスプレイ部の中心領域に表示することができる。制御部は、インジケーターを第１結果画面または第２結果画面の一部領域とオーバーラップして表示することにより、第１入力または第２入力の方向または長さを調整できるガイドを提供することができる。
【０１４４】
制御部は、第１入力または第２入力を受信する地点に表示された特定コンテンツのサムネイル（thumbnail）を拡大して、第１結果画面または第２結果画面の一部領域とオーバーラップして表示することができる。制御部は、第１入力または第２入力に応じて、第１機能又は第２機能が実行された結果画面の対応するコンテンツをリアルタイム確認できるように、第１入力または第２入力を受信する地点に表示された特定コンテンツのサムネイルをディスプレイ部の中心領域に拡大して表示することができる。
【０１４５】
制御部は、第２入力が設定された長さ以上の受信された場合にのみ、第２機能を実行することができる。具体的に、制御部は、第２入力を設定された長さ未満受信する場合、第１コンテンツをディスプレイ部の中心領域に移動させて表示し、第２入力を設定された長さ以上受信する場合、第２コンテンツをディスプレイ部の中心領域に移動させて表示することができる。また、制御部は、第２入力を設定された長さ以上受信し第２入力を解除する場合は、第２コンテンツをディスプレイ部の中心領域に表示されるよう、第２結果画面を表示したり、またはディスプレイ部の画面全体に表示することができる。
【０１４６】
制御部は、第１入力と第２入力との間に第１入力の終了点でホールド入力（holding input）を受信する場合、第１結果画面をスクロールすることができる。具体的には、制御部は、第１入力の終了点で設定された時間以上維持される入力を受信する場合、ホールド入力として認識することができる。制御部は、ホールド入力を受信する場合、第１入力の速度、第１結果画面のコンテンツ表示スケール、または端末機の傾きの内、少なくとも一つに基づいて、スクロール速度を調整することができる。
【０１４７】
制御部は、第２入力に連続して第１入力と対応する第３入力を受信する場合、または第３入力に連続して第２入力と対応する第４入力を受信する場合、第１機能又は第２機能を繰り返して実行することができる。この時、第３入力は、第１入力の方向である第１対角線方向を有し、第４入力は、第２入力の方向である第２対角線方向を有することができる。第３入力または第４入力は、第１入力または第２入力の長さと異なることがある。
【０１４８】
制御部は、第１入力または第２入力を受信した直後、各入力の逆方向入力を受信する場合、逆方向入力に対応する第１機能又は第２機能を以前の状態に回復することができる。つまり、制御部は、第１入力を受信した直後、第１入力の終了時点から以前の時点の入力方向に向かう第１方向の逆方向入力を受信する場合、逆方向入力に応じて、第１結果画面を第１機能が実行される前の状態に回復することができる。
【０１４９】
図３〜図１９は、本発明に係る移動端末機の制御方法の一実施の形態を説明するための図である。以下、図３〜図１９を参照して、具体的な実施の形態を説明する。
【０１５０】
図３〜図４は本発明に係る移動端末機の制御方法の一実施の形態において、第１入力を受信する方法を説明するための図である。
【０１５１】
図３を参照すると、制御部は、ディスプレイ部のベゼル領域（１５１Ｃ）から開始しディスプレイ部のウィンドウ１５１ａに向かう第１対角線方向の第１入力（Ｉ１）を受信することができる。
【０１５２】
第１入力（Ｉ１）は、開始点（Ｐ１）と終了点（Ｐ２）の位置に基づいて、特定の長さを有し、ディスプレイ部のウィンドウ１５１ａの端のラインと、特定角度（θ1）を有する第１対角線方向の入力を意味することができる。この時、第１入力の開始点（Ｐ１）は、ディスプレイ部のベゼル領域（１５１Ｃ）とウィンドウ１５１ａの境界線を含むことができる。
【０１５３】
第１対角線方向は、第１入力の開始点（Ｐ１）を基準で右下の方向、右上方向、右下方向、または左下の方向の内のいずれか１つの方向を意味することができる。
【０１５４】
図４を参照すると、制御部は、ディスプレイ部のベゼル領域（１５１Ｃ）の一地点（Ｐ３）のタッチ入力とディスプレイ部のウィンドウ１５１ａを介して第１対角線方向の連続タッチ入力を同時に第１入力（Ｉ１）で受信することができる。
【０１５５】
第１入力（Ｉ１）は、ディスプレイ部のベゼル領域（１５１Ｃ）の一地点（Ｐ３）のタッチ入力と同時に受信されたディスプレイ部のウィンドウ１５１ａのＰ１から開始し、Ｐ２で終了する第１対角線方向の入力を意味することができる。この時、Ｐ３地点のタッチ入力が先に受信され、第１対角線方向の入力が受信される間、維持することができる。
【０１５６】
図３と同様に、第１対角線方向は、第１入力の開始点（Ｐ１）を基準に右下の方向、右上方向、右下方向、または左下の方向の内のいずれか１つの方向を意味することができる。
【０１５７】
図５〜図７は、本発明に係る移動端末機からのアルバムアプリケーションと関連する制御方法の実施の形態を説明するための図である。
【０１５８】
図５を参照すると、制御部は、アルバムアプリケーションの実行画面が表示されたディスプレイ部１５１を介して第１入力（Ｉ１）を受信する場合、イメージの表示スケールを減少させる第１機能を実行して、第１結果画面を表示することができる。
【０１５９】
制御部は、アルバムアプリケーションの実行画面の第１入力（Ｉ１）を受信する場合、実行画面に含まれたイメージの表示スケールを減少させる機能を、第１機能で処理することができる。このとき、制御部は、第１入力の長さや角度に応じて、表示スケールを段階的または徐々に減少させ、表示スケールが段階的にまたは徐々に減少されることに応じて第１結果画面を動的に変更して、ディスプレイ部１５１に表示することができる。
【０１６０】
具体的に、制御部は、アルバムのアプリケーションを実行すると、初期設定されたコンテンツ表示スケールで少なくとも一つのイメージをディスプレイ部に表示することができる。つまり、制御部は、アルバムアプリケーションの実行画面に含まれたイメージを３＊５行列で表示することができる。制御部は、３＊５行列でイメージが表示された状態で、第１入力（Ｉ１）を受信する場合、第１入力（Ｉ１）の長さに応じて、５＊９マト行列、７＊１２行列でイメージが表示されるように、コンテンツの表示スケールを減らすことができる。制御部は、第１入力（Ｉ１）の長さの範囲に応じて段階的にコンテンツの表示スケールを減少させたり又は第１入力（Ｉ１）の長さの増加に対応して徐々にコンテンツの表示スケールを減少させることができる。たとえば、第１入力の長さがｌ１乃至ｌ２の範囲である場合に表示スケールを０．８倍に調整し、第１入力の長さがｌ２乃至らl３の範囲である場合に表示スケールを０．６倍に調整することができる。制御部は、コンテンツの表示スケールが調整されることに応じて、コンテンツの配列方法を変更することができる。
【０１６１】
図６〜図７を参照すると、制御部は、第１入力（Ｉ１）に連続して第２入力（Ｉ２）を受信する場合、第１結果画面と関連して、第２機能を実行し、第２結果画面を表示することができる。
【０１６２】
制御部は、第１入力（Ｉ１）の終了点で開始され、第２対角線方向の連続タッチ入力である第２入力（Ｉ２）を受信する場合、第１結果画面に関連する第２機能を実行することができる。制御部は、第１結果画面に含まれたイメージの表示スケールを増加させる機能を第２機能で処理することができる。このとき、制御部は、第２入力の長さまたは角度に応じて、表示スケールを段階的または徐々に調整し、表示スケールが段階的または徐々に調整されることに応じて第１結果画面を動的に変更して、ディスプレイ部１５１に表示するすることができる。
【０１６３】
具体的に、制御部は、７＊１２行列でイメージが表示された第１結果画面について、第１入力（Ｉ１）に連続して第２入力（Ｉ２）を受信することができる。第１入力（Ｉ１）は、右下の方向のドラッグ入力であり、第２入力（Ｉ２）は右上方向のドラッグ入力で有り得る。制御部は、第２入力（Ｉ２）の長さの範囲に応じて段階的にコンテンツの表示スケールを増加させたり、または、第１入力（Ｉ１）の長さの増加に対応して徐々にコンテンツの表示スケールを増加させることができる。制御部は、コンテンツの表示スケールが増加するにつれて、コンテンツの配列方法を変更することができる。
【０１６４】
図６を参照すると、制御部は、第１結果画面（７＊１２行列のイメージ）に含まれた各イメージの表示スケールを増加させる第２機能を実行して、第２結果画面（３＊５行列のイメージ）を表示することができる。
【０１６５】
制御部は、第２入力（Ｉ２）の受信が開始されると、第１入力（Ｉ１）の終了点（Ｐ２）に対応する第１結果画面の第１コンテンツ（７＊１２行列のイメージ‘５’）をディスプレイ部の中心領域に表示した後、コンテンツの表示スケールを増加させて第２結果画面を表示することができる。つまり、制御部は、第１結果画面のＰ２地点に表示された小さなサイズのイメージ‘５’をディスプレイ部の中心領域に表示した後、イメージの表示スケールを徐々に増加させる第２機能を実行して、３＊５行列の大きいサイズのイメージ‘５’を生成することができる。
【０１６６】
また、制御部は、第２入力（Ｉ２）を受信することによって、第１結果画面に含めたイメージの位置を変更しない状態で表示スケールを徐々に増加させる第２機能を実行することができる。制御部は、第２入力（Ｉ２）が完了すると、第１入力（Ｉ１）の終了点（Ｐ２）に対応する第１結果画面の第１コンテンツ（７＊１２行列のイメージ‘５’）に関連する第２結果画面の第２コンテンツ（３＊５行列のイメージ‘５’）をディスプレイ部の中心領域に表示することができる。つまり、制御部は、第１結果画面のＰ２地点に表示された小さなサイズのイメージ‘５’）がＰ２点に表示された状態で表示スケールを徐々に増加させる第２機能を実行して、イメージを３＊５行列し、第２入力が完了すると、３＊５行列の大きいサイズのイメージ‘５’をディスプレイ部の中心領域に表示することができる。制御部は、第２入力（Ｉ２）が特定地点（Ｐ３）で設定された時間以上固定したり、第２入力（Ｉ２）が解除された場合、第２入力（Ｉ２）が完了したことと判断することができる。
【０１６７】
図7を参照すると、制御部は、第１結果画面（７＊１２行列のイメージ）に含まれて各イメージの表示スケールを増加させる第２機能を実行して、第２結果画面（３＊５行列のイメージ）を表示するが、第１入力（Ｉ１）の終了点（Ｐ２）に対応する第２コンテンツを他のコンテンツより相対的に大きく表示することができる。
【０１６８】
したがって、本発明によれば、アルバムアプリケーションの実行画面が表示された状態で、連続したＶ型のジェスチャーを介して、ユーザーが検索するとするコンテンツをすばやく検索し、検索された特定のコンテンツをディスプレイ部の中心領域に表示することができる。
【０１６９】
図８は、本発明に係る移動端末機においてカレンダーアプリケーションに関連する制御方法の実施の形態を説明するための図である。
【０１７０】
図８を参照すると、制御部は、カレンダーアプリケーションの実行画面が表示されたディスプレイ部１５１を介して第１入力（Ｉ１）を受信する場合、カレンダーの表示単位を減少させる第１機能を実行して、第１結果画面を表示することができる。
【０１７１】
制御部は、ギャラリーアプリケーションの実行画面の第１入力（Ｉ１）を受信する場合、実行画面に表示されたカレンダーの表示単位を減少させる機能を、第１機能で処理することができる。このとき、制御部は、第１入力の長さや角度に応じて、カレンダーの表示単位を段階的に変更することができる。
【０１７２】
具体的に、制御部は、カレンダーアプリケーションを実行すると、初期設定されたカレンダー表示単位でカレンダーのイメージをディスプレイ部に表示することができる。例えば、制御部は、年間カレンダーを表示するように初期設定された場合、カレンダーアプリケーションを実行すると、年間カレンダーを表示することができる。制御部は、第１入力（Ｉ１）を受信することによって、カレンダーの表示単位を月間カレンダー、週間カレンダーの順序に変更して表示することができる。
【０１７３】
制御部は、第１入力（Ｉ１）に連続して第２入力（Ｉ２）を受信する場合、カレンダー表示単位を増加する第２機能を実行し、第２結果画面を表示することができる。制御部は、第２入力（Ｉ２）を受信する場合、第１入力（Ｉ１）の終了点（Ｐ２）に表示される日付のスケジュールを表示する第２機能を実行することができる。
【０１７４】
例えば、制御部は、２０１４年８月第３週のカレンダーが表示された状態において、第１入力（Ｉ１）に連続して第２入力（Ｉ２）を受信する場合、第１入力（Ｉ１）の終了点（Ｐ２）に表示される日付である８月１４日のスケジュールを表示する第２機能を実行することができる。このとき、第２機能は、詳細スケジュールを表示する機能を意味する。
【０１７５】
図９〜図１１は、本発明に係る移動端末機においてメッセージアプリケーションと関連する制御方法の実施の形態を説明するための図である。
【０１７６】
制御部は、メッセージアプリケーションの表示されたディスプレイ部１５１を介して第１入力（Ｉ１）を受信する場合、第１機能を実行して、第１結果画面を表示し、第１入力（Ｉ１）に連続して第２入力（Ｉ２）を受信する場合、第２機能を実行して、第２結果画面を表示することができる。制御部は、第１機能と第２機能を多様に設定することができる。
【０１７７】
図９を参照すると、制御部は、メッセージの文字サイズを拡大する機能を第１機能として設定し、メッセージの文字の太さを調整する機能を第２機能として設定することができる。
【０１７８】
制御部は、メッセージアプリケーションの実行画面の第１入力（Ｉ１）を受信する場合、実行画面に表示されるメッセージの文字サイズを徐々に拡大または縮小することができる。制御部は、第１入力（Ｉ１）の第１対角線方向に沿ってメッセージの文字サイズを 徐々に拡大したり、縮小することができ、第１入力（Ｉ１）の長さに応じ、文字サイズの拡大または縮小倍率を調整することができる。
【０１７９】
例えば、制御部は、第１入力（Ｉ１）が右下の方向に入力された場合、メッセージの文字サイズを徐々に拡大することができる。また、制御部は、第１入力（Ｉ１）が右上方向に入力された場合、メッセージの文字サイズを徐々に縮小することができる。
【０１８０】
制御部は、第１入力（Ｉ１）に連続して第２入力（Ｉ２）を受信する場合、メッセージの文字の太さを徐々に太くまたは薄く調整することができる。また、制御部は、第２入力（Ｉ２）の長さに応じて、メッセージの文字の太さ変化率を調整することができる。
【０１８１】
例えば、制御部は、右下の方向に入力される第１入力（Ｉ１）の終了点（Ｐ２）から開始して、右上方向に第２入力（Ｉ２）を受信する場合、メッセージの文字の太さを太く調整することができる。一方、制御部は、1入力（Ｉ１）の終了点（Ｐ２）から開始して、左下の方向に第２入力（Ｉ２）を受信する場合、メッセージの文字の太さを薄く調整することができる。
【０１８２】
図１０を参照すると、制御部は、送信メッセージまたは受信メッセージの一側のメッセージのみを表示する機能を第１機能に設定し、メッセージをスクロールする機能を第２機能に設定することができる。
【０１８３】
制御部は、メッセージアプリケーションの実行画面の第１入力（Ｉ１）を受信する場合、実行画面に表示されて送信メッセージまたは受信メッセージの内、一側のメッセージのみを表示することができる。制御部は、第１入力（Ｉ１）の方向に応じて、受信メッセージのみを表示したり、送信メッセージのみを表示することができる。
【０１８４】
例えば、制御部は、第１入力（Ｉ１）が右下の方向に入力された場合、受信メッセージのみを表示することができる。また、制御部は、第１入力（Ｉ１）が右上の方向に入力された場合、受信メッセージのみを表示することができる。このとき、制御部は、第１入力（Ｉ１）の長さに応じて、メッセージの表示スケールを徐々に縮小することができる。
【０１８５】
制御部は、第１入力（Ｉ１）に連続して第２入力（Ｉ２）を受信する場合、表示されたメッセージをスクロールすることができる。制御部は、第２入力（Ｉ２）の長さに応じてスクロール速度を調整し、第２入力（Ｉ２）の方向に応じてスクロール方向を決定することができる。
【０１８６】
例えば、制御部は、右下の方向に入力される第１入力（Ｉ１）の終了点（Ｐ２）から開始して、右上方向に第２入力（Ｉ２）を受信する場合、受信メッセージを下にスクロールすることができる。一方、制御部は、第１入力（Ｉ１）の終了点（Ｐ２）から開始して、左下の方向に第２入力（Ｉ２）を受信する場合、受信メッセージを上にスクロールすることができる。制御は、下方向に画面をスクロールする場合、下部に表示されたコンテンツを上部に移動させて表示し、上方向に画面をスクロールする場合、上部に表示されたコンテンツを下部へ移動させ表示することができる。
【０１８７】
制御部は、メッセージジアプリケーションに関連して、メッセージの文字サイズを拡大する機能が第1機能として設定され、メッセージの文字の太さを調整する機能を第２機能と設定したが、第１入力（Ｉ１）がメッセージの入力領域まで受信された場合には、第１機能を送信メッセージまたは受信メッセージの内、一側のメッセージのみを表示する機能に変更し、第２機能を、メッセージをスクロールする機能に変更するように設定することができる。
【０１８８】
図１１を参照すると、制御部は、タグ付け機能を、第１機能に設定し、メッセージの文字の太さを調整する機能を第２機能と設定することができる。
【０１８９】
制御部は、メッセージアプリケーションの実行画面の第１入力（Ｉ１）を受信する場号、実行画面に表示されるメッセージに含まれたキーワードまたは代表イメージをタグ付けすることができる。制御部は、ディスプレイ部の第１ベゼル領域で開始し、ディスプレイ部の第２ベゼル領域で終了するドラッグ入力を第１入力（Ｉ１）として認識することができる。
【０１９０】
たとえば、制御部は、ディスプレイ部の左側ベゼル領域の一地点（Ｐ１）から開始し、ディスプレイ部の下部ベゼル領域の一地点（Ｐ２）で終了するドラッグ入力を第１入力（Ｉ１）として認識することができる。制御部は、第１入力（Ｉ１）を受信する場合、ディスプレイ部に表示された実行画面に含まれたメッセージのキーワードまたは代表イメージをタギング(tagging)して、タグをディスプレイ部に表示することができる。
【０１９１】
制御部は、第１入力（Ｉ１）に連続して第２入力（Ｉ２）を受信する場合、メッセージの文字の太さを徐々に太くまたは薄く調整することができる。また、制御部は、第２入力（Ｉ２）の長さに応じて、メッセージの文字の太さ変化率を調整することができる。
【０１９２】
例えば、制御部は、右下の方向の第１入力（Ｉ１）の終了点（Ｐ２）から開始して、右上方向に第２入力（Ｉ２）を受信する場合、メッセージの文字の太さを太く調整することができる。一方、制御部は、1入力（Ｉ１）の終了点（Ｐ２）から開始して、左下の方向に第２入力（Ｉ２）を受信する場合、メッセージの文字の太さを薄く調整することができる。
【０１９３】
図１２は、本発明に係る移動端末機においてシステム設定、アプリケーションと関連する制御方法についての実施の形態を説明するための図である。
【０１９４】
図１２を参照すると、制御部は、システム設定、アプリケーションの実行画面が表示されたディスプレイ部１５１を介して第１入力（Ｉ１）を受信する場合、選択された設定項目のレベルを増加または減少させる第１機能を実行し、第１結果画面を表示することができる。
【０１９５】
具体的に、制御部はサウンド設定項目が選択された状態において、第１入力（Ｉ１）を受信する場合、選択されたサウンドの設定項目のレベルを第１入力（Ｉ１）の方向と長さに応じて調整することができる。
【０１９６】
制御部は、第１入力（Ｉ１）に連続して第２入力（Ｉ２）を受信する場合、選択された設定項目のレベルを調整されたレベルに設定することができる。具体的に、制御部は、第１入力（Ｉ１）を受信することによって、サウンドの設定項目のレベルを調整し、第２入力（Ｉ２）を受信する場合、サウンドの設定項目のレベルを調整された音の大きさに設定することができる。
【０１９７】
図１３は、本発明に係る移動端末機からの運動情報管理アプリケーションと関連する制御方法の実施の形態を説明するための図である。
【０１９８】
図１３を参照すると、制御部は、運動管理アプリケーションの実行画面が表示されたディスプレイ部１５１を介して第１入力（Ｉ１）を受信する場合、記憶された運動情報の表示単位を選択する第１機能を実行し、第１結果画面を表示することができる。
【０１９９】
制御部は、運動管理アプリケーションの実行画面が表示された状態で、第１入力（Ｉ１）を受信する場合、第１入力（Ｉ１）の長さまたは角度に応じて、記憶された運動情報の表示単位を選択することができる。
【０２００】
具体的に、制御部は、第１入力（Ｉ１）の長さが増加するにつれて、またはディスプレイ部の端の第１入力（Ｉ１）の角度が増加するにつれて、記憶された運動情報の表示単位を「日」、「月」、「年」の中から選択することができる。
【０２０１】
制御部は、第１入力（Ｉ１）に連続して第２入力（Ｉ２）を受信する場合、選択された表示単位を細かく調整することができる。具体的には、制御部は、第１入力（Ｉ１）を受信することによって、記憶された運動情報の表示単位を「年」単位で表示するように選択された場合、第２入力（Ｉ２）を受信することによって、「年」を２０１４、２０１３、２０１２などのように調整することができる。制御部は、第２入力（Ｉ２）が完了すると、調整された時期（２０１３年６月２５日）の運動情報を表示することができる。
【０２０２】
図１４〜図１６は、本発明に係る移動端末機の制御方法の一実施の形態において制御方法をガイドするインジケーターを表示する方法を説明するための図である。
【０２０３】
図１４を参照すると、制御部は、第１入力または第２入力に対応する機能をガイドするインジケーター（Ｉａ）をディスプレイ部１５１の中心領域に表示することができる。
【０２０４】
第１入力または第２入力の長さ、角度及び速度の内少なくとも一つに基づいて、第１機能又は第２機能が段階的または徐々に調整される場合、制御部は、第１入力または第２入力をガイド内容をインジケーター（Ｉａ）で表示することができる。
【０２０５】
制御部は、第１入力（Ｉ１）を受信することによって、コンテンツの表示スケールを調整する第１機能を実行する場合、コンテンツの表示スケールの調整単位である「年」、「月」、「日」をインジケーター（Ｉａ）で表示することができる。具体的には、制御部は、第１入力（Ｉ１）の長さまたは角度の変更により、コンテンツの表示スケールの調整単位を変更する内容をインジケーター（Ｉａ）で表示することができる。
【０２０６】
例えば、制御部は、第１入力（Ｉ１）を受信することによって、コンテンツの表示スケールを「日」、「月」、「年」の順序に変更する第１機能を実行し、コンテンツの表示スケールの変更の単位を選択する選択ボックスを移動するようにインジケーター（Ｉａ）を表示することができる。
【０２０７】
図１５を参照すると、制御部は、第１入力（Ｉ１）乃至第４入力（Ｉ４）の長さ及び方向に応じて、第１機能又は第２機能が変更される場合、これをガイドする図形をインジケーターに表示することができる。
【０２０８】
図１６を参照すると、制御部は、第１入力（Ｉ１）または第２入力（Ｉ４）の長さ、角度及び方向に応じて、第１機能又は第２機能が変更される場合、これをガイドする図形をインジケーターに表示することができる。
【０２０９】
図１７は、本発明に係る移動端末機の制御方法の一実施の形態において、第１入力または第２入力が繰り返し受信された場合、制御方法を説明するための図である。
【０２１０】
図１７を参照すると、制御部は、第２入力に連続して第１入力に対応する第３入力を受信する場合、または第３入力に連続して第２入力に対応する第４入力を受信する場合、第1機能または第２機能を繰り返して実行することができる。
【０２１１】
制御部は、第１入力または第２入力の方向（ｉｅ右下の方向、左下方向、右上方向、左上方向）に対応する第３入力または第４入力を連続して受信する場合、第１機能または第２機能を繰り返して実行することができる。前述のように、第３入力または第４入力の長さ、角度、速度などを考慮して、第１機能又は第２機能を調整することができる。
【０２１２】
具体的には、制御部は、第１入力（Ｉ１）を受信することによって、イメージの表示スケールを徐々に減少させ表示し、第２入力（Ｉ２）を受することに応じて第１結果画面の表示スケールを徐々に増加させて表示するが、第１入力（Ｉ１）の終了点（Ｐ２）に表示されるイメージをディスプレイ部の中心領域に拡大して表示することができる。制御部は、第２入力（Ｉ２）に連続して第３入力（Ｉ１‘）を受信する場合、第２結果画面の表示スケールを再び減少させた第３結果画面をディスプレイ部に表示することができる。
【０２１３】
図１８は、本発明に係る移動端末機の制御方法の一実施の形態において、第２入力の受信長さに応じた制御方法を説明するための図である。
【０２１４】
図１８を参照すると、制御部は、第２入力を設定された長さ未満で受信する場合、第１コンテンツをディスプレイ部の中心領域に移動させて表示することができる。
【０２１５】
制御部は、第２入力を設定された長さ未満で受信する場合、第１結果画面の表示スケールを増加させる機能を実行せずに、第１結果画面の表示位置だけ移動させ表示することができる。
【０２１６】
具体的に、制御部は、第２入力（Ｉ２）が設定された長さ未満で受信される場合、第１入力（Ｉ１）の終了点に表示されたイメージ（５＊９行列のイメージ‘５’）をディスプレイ部の中心領域に移動して表示することができる。
【０２１７】
図１９は、本発明に係る移動端末機の制御方法の一実施の形態において、第１入力または第２入力の逆方向入力の制御方法を説明するための図である。
【０２１８】
図１９を参照すると、制御部は、第１入力または第２入力の逆方向入力を受信する場合、逆方向入力に対応して、第１機能又は第２機能を以前の状態に回復することができる。
【０２１９】
制御部は、第１入力（Ｉ１）をＰ２地点まで受信する場合、イメージの表示スケールを減少させる第２機能を実行して、イメージを３＊５行列から５＊９行列に表示スケールを調整することができる。制御部は、第１入力（Ｉ１）に連続して第１入力（Ｉ１）の終了点であるＰ２を開始点とする第１入力（Ｉ１）の逆方向入力（Ｉ１”）を受信する場合、イメージの表示スケールを逆方向入力（Ｉ１”）に対応して再び増加させることができる。結果的に、制御部は、逆方向入力（Ｉ１”）を受信することによって、イメージの表示スケールを増加させイメージを４＊７行列で表示することができる。
【０２２０】
図２０は、本発明に係る移動端末機の制御方法の他の実施の形態を説明するためのフローチャートである。
【０２２１】
図２０を参照すると、移動端末機の制御部（図１Ａの１８０）は、少なくとも１つのコンテンツをディスプレイ部（図１Ａの１５１）に表示して（Ｓ２１０）、ディスプレイ部（図１Ａの１５１）を介して第１入力を受信することができる（Ｓ２２０）。
【０２２２】
制御部は、特定のアプリケーションを実行し、特定のアプリケーションの実行画面をディスプレイ部に表示することができる。特定のアプリケーションの実行画面は、少なくとも１つのコンテンツを含むことができる。具体的に、制御部は、ギャラリーアプリケーションを実行して、少なくとも一つのイメージをディスプレイ部に表示することができる。
【０２２３】
制御部は、少なくとも１つのコンテンツが表示さた、ディスプレイ部に対して、第１入力を受信することができる。第１入力は、第１対角線方向の連続タッチ入力で有り得、ディスプレイ部のベゼル領域で始まることができる。また、第１入力は、ディスプレイ部のベゼル領域の一地点のタッチ入力とタッチスクリーンの第１対角線方向の連続タッチ入力を一緒に受信する入力で有り得る。
【０２２４】
具体的に、制御部は、ディスプレイ部のベゼル領域で開始し、タッチスクリーンの横方向または縦方向と、特定の範囲の角度を持つドラッグ入力を受信する場合、第１入力として認識することができる。
【０２２５】
移動端末機の制御部（図１Ａの１８０）は、第１入力を受信することによって、少なくとも１つのコンテンツの表示スケールを調整する第１機能を実行して、第１結果画面をディスプレイ部（図１Ａの１５１）に表示することができる（Ｓ２３０）。
【０２２６】
制御部は、第１入力に対応する第１機能を表示スケールを減少させる機能予め設定することができる。第１機能は、第１入力を受信することによって動的に少なくとも１つのコンテンツの表示サイズを減少させる機能を意味する。制御部は、第１入力の長さ、方向、及び速度の内、少なくとも一つを用いて表示スケールを徐々にまたは段階的に減少させることができる。
【０２２７】
制御部は、第１入力に応じて、第１機能が徐々にまたは段階的に調整される場合、第１機能を実行した第１結果画面を動的に変更して表示することができる。例えば、制御部は、第１入力を受信することによって、少なくとも１つのコンテンツサイズを徐々にまたは段階的に減少させ、ディスプレイ部に表示することができ、少なくとも１つのコンテンツサイズが減少することに応じて、少なくとも１つのコンテンツの配列方法を再構成することができる。
【０２２８】
移動端末機の制御部（図１Ａの１８０）は、第１入力に連続して第１入力の終了点でホールド入力（holding input）を受信して（Ｓ２４０）、ホールド入力を受信することによって、第１結果画面をスクロールすることができる（Ｓ２５０）。
【０２２９】
制御部は、第１入力を解除せずに、第１入力の終了点で設定された時間以上維持する入力をホールド入力で処理することができる。制御部は、ホールド入力を受信することによって、第１結果画面を設定された方向にスクロールすることができる。制御部は、ホールド入力に対応するスクロール方向を予め設定することができる。
【０２３０】
制御部は、第１結果画面を予め設定された特定の速度でスクロールしたり、端末機の傾きまたは第１結果画面に含まれたコンテンツの表示スケールに応じてスクロール速度を動的に調整し、スクロールすることができる。
【０２３１】
移動端末機の制御部（図１Ａの１８０）は、ホールド入力に連続して第２入力を受信し、（Ｓ２６０）、第２入力を受信することによってスクロールされた第１結果画面の表示スケールを調整する第２機能を実行して第２結果画面をディスプレイ部（図１Ａの１５１）に表示することができる（Ｓ２７０）。
【０２３２】
制御部は、ホールド入力を解除にしない状態で、ホールド入力に連続して第２入力を受信することができる。制御部は、ホールド入力を受信する地点で開始し、第１対角線方向と区別される第２対角線方向の連続タッチ入力を第２入力として認識することができる。具体的に、第２入力は、ホールド入力の終了点で開始され、第１入力と、他の方向に向かうドラッグ入力で有り得る。
【０２３３】
また、第２入力は、ディスプレイ部のベゼル領域の一地点のタッチ入力とタッチスクリーンの第２対角線方向の連続タッチ入力を一緒に受信する入力で有り得る。
【０２３４】
制御部は、第２入力を受信することによって、第１結果画面に関連する第２機能を実行して、第２結果画面をディスプレイ部に表示することができる。
【０２３５】
制御部は、第２入力を受信することによって、スクロールが完了した第１結果画面の表
示スケールを調整する第２機能を実行して、第２結果画面を表示することができる。制御部は、第２入力に対応する第２機能を表示スケールを増加させる機能で予め説定することができる。このとき、第２機能は、第２入力の長さ、方向、及び速度に応じて徐々にまたは段階的に表示スケールを増加させる機能で有り得る。つまり、制御部は、ホールド入力が完了して、第２入力を受信してもホールド入力に対応して第１結果画面のスクロールを継続し、第１結果画面のスクロールが終了すると、第２入力に対応する第２機能を実行することができる。
【０２３６】
制御部は、スクロールが完了した第１結果画面の表示スケールを増加させた第２結果画面をディスプレイ部に表示することができる。制御部は、第２入力を受信することによって、徐々にまたは段階的に、第１結果画面の表示スケールを増加させることができ、これにより、第２結果画面を動的に変更して表示することができる。
【０２３７】
制御部は、第２入力を受信する場合、ホールド入力の終了点に対応するスクロールされた第１結果画面の第１コンテンツに関連する第２結果画面の第２コンテンツをディスプレイ部の中心領域に表示することができる。制御部は、ホールド入力を受信することによって、第１結果画面をスクロールし、ホールド入力が終了し第２入力を受信する場合、ホールド入力の終了点に対応する第１結果画面のコンテンツを第１コンテンツに決定することができる。つまり、制御部は、ホールド入力の終了時点のホールド入力の終了点に対応する第１結果画面に表示されたコンテンツを第１コンテンツに決定することができる。
【０２３８】
図２１〜図２７は、本発明に係る移動端末機の制御方法の他の実施の形態を説明するための図である。以下、図２１〜図２７を参照して、具体的な実施の形態を説明する。
【０２３９】
図２１〜図２３は、本発明に係る移動端末機からのアルバムアプリケーションの制御方法の他の実施の形態を説明するための図である。
【０２４０】
図２１を参照すると、制御部は、アルバムアプリケーションの実行画面が表示されたディスプレイ部１５１を介して第１入力（Ｉ１）を受信する場合、イメージの表示スケールを減少させる第１機能を実行して、第１結果画面を表示することができる。
【０２４１】
制御部は、アルバムアプリケーションの実行画面の第１入力（Ｉ１）を受信する場合、実行画面に含まれたイメージの表示スケールを減少させる機能を、第１機能で処理することができる。このとき、制御部は、第１入力の長さや角度に応じて、表示スケールを段階的または徐々に減少させ、表示スケールが段階的にまたは徐々に減少に応じて第１結果画面を動的に変更して、ディスプレイ部１５１に表示することができる。
【０２４２】
具体的に、制御部は、アルバムのアプリケーションを実行すると、初期設定されたコンテンツの表示スケールで少なくとも一つのイメージをディスプレイ部に表示することができる。つまり、制御部は、アルバムアプリケーションの実行画面に含まれたイメージを３＊５行列で表示することができる。制御部は、３＊５行列でイメージが表示された状態で、第１入力（Ｉ１）を受信する場合、第１入力（Ｉ１）の長さに応じて、５＊９行列 、７＊１２行列でイメージが表示されるようにコンテンツの表示スケールを減少させることができる。制御部は、第１入力（Ｉ１）の長さの範囲に応じて段階的にコンテンツの表示スケールを減少させたり又は第１入力（Ｉ１）の長さの増加に対応して徐々にコンテンツの表示スケールを減少させることができる。
【０２４３】
制御部は、第１入力（Ｉ１）に連続して第１入力（Ｉ１）の終了点（Ｐ２）でホールド入力（Ｉｈ）を受信する場合、第１結果画面をスクロールすることができる。具体的に、制御部は、第１入力（Ｉ１）の終了点（Ｐ２）でホールド入力を受信する場合、以下の方向（Ｓ）に第１結果画面をスクロールすることができる。制御部は、スクロール動作が実行することに応じて、Ｐ２地点に表示された７＊１２行列のイメージ‘５’を上に移動して表示することができる。
【０２４４】
図２２〜図２３を参照すると、制御部は、ホールド入力（Ｉｈ）に連続して第２入力（Ｉ２）を受信する場合、スクロールされた第１結果画面に関連して、第２機能を実行し、第２結果画面を表示することができる。
【０２４５】
制御部は、ホールド入力（Ｉｈ）の終了点で開始され、第２対角線方向の連続タッチ入力である第２入力（Ｉ２）を受信する場合、スクロールされた第１結果画面に関連する第２機能を実行することができる。
【０２４６】
制御部は、スクロールされた第１結果画面に含まれたイメージの表示スケールを増加させる機能を第２機能で処理することができる。このとき、制御部は、第２入力の長さや角度に応じて、表示スケールを段階的または徐々に調整し、表示スケールが段階的または徐々に調整されることに応じて第１結果画面を動的に変更して、ディスプレイ部１５１に表示することができる。
【０２４７】
具体的には、制御部は、７＊１２行列でイメージが表示された、スクロールされた第１結果画面について、ホールド入力（Ｉｈ）に連続して第２入力（Ｉ２）を受信することができる。第２入力（Ｉ２）は、第１入力（Ｉ１）と区別される右上方向のドラッグ入力で有り得る。制御部は、第２入力（Ｉ２）の長さの範囲に応じて段階的にコンテンツの表示スケールを増加させたり、または、第１入力（Ｉ１）の長さの増加に対応して徐々にコンテンツの表示スケールを増加させることができる。制御部は、コンテンツの表示スケールが増加するにつれて、コンテンツの配列方法を変更することができる。
【０２４８】
図２２を参照すると、制御部は、スクロールされた第１結果画面（７＊１２行列のイメージ）に含まれた各イメージの表示スケールを増加させる第２機能を実行して、第２結果画面（３＊５行列のイメージ）を表示することができる。
【０２４９】
制御部は、第２入力（Ｉ２）の受信が開始されると、ホールド入力（Ｉｈ）の終了点（Ｐ２）に対応するスクロール中の第１結果画面の第１コンテンツ（７＊１２行列のイメージ‘１５’）をディスプレイ部の中心領域に表示した後、コンテンツの表示スケールを増加させて第２結果画面を表示することができる。つまり、制御部は、スクロールが完了した第１結果画面のＰ２地点に表示された小さいサイズのイメージ‘１５’）をディスプレイ部の中心領域に表示した後、イメージの表示スケールを徐々に増加させる第２機能を実行して、３＊５行列の大きいサイズのイメージ‘１５’を生成することができる。
【０２５０】
制御部は、第２入力（Ｉ２）の受信が開始されると、ホールド入力（Ｉｈ）に対応するスクロール動作を解除にし、スクロールが完了した第１結果画面の第１コンテンツ（７＊１２行列のイメージ‘１５’）をディスプレイ部の中心領域に表示した後、コンテンツの表示スケールを増加させ第２結果画面を表示することができる。
【０２５１】
また、制御部は、第２入力（Ｉ２）を受信することによって、第１結果画面に含まれたイメージの位置を変更しない状態で表示スケールを徐々に増加させる第２機能を実行することができる。制御部は、ホールド入力（Ｉｈ）に対応するスクロール動作が完了しない状態で、第２入力（Ｉ２）を受信する場合、スクロール動作と表示スケールを増加させる動作を一緒に行うことができる。
【０２５２】
また、制御部は、第２入力（Ｉ２）が完了すると、ホールド入力（Ｉｈ）の終了点（Ｐ２）に対応する、スクロールされた第１結果画面の第１コンテンツ（７＊１２行列のイメージ‘１５’）と関連する第２結果画面の第２コンテンツ（３＊５行列のイメージ‘１５’）をディスプレイ部の中心領域に表示することができる。
【０２５３】
つまり、制御部は、スクロールされた第１結果画面のＰ２地点に表示された小さなサイズのイメージ‘１５’がＰ２地点に表示された状態で表示スケールを徐々に増加させる第２機能を実行して、イメージを３＊５行列し、第２入力が完了すると、３＊５行列の大きいサイズのイメージ‘１５’をディスプレイ部の中心領域に表示することができる。制御部は、第２入力（Ｉ２）が特定の地点（Ｐ３）で設定された時間以上固定したり、第２入力（Ｉ２）が解除された場合、第２入力（Ｉ２）が完了したと判断することができる。
【０２５４】
図２３を参照すると、制御部は、スクロールされた第１結果画面（７＊１２行列のイメージ）に含まれた各イメージの表示スケールを増加させる第２機能を実行して、第２結果画面（３＊５行列のイメージ）を表示するが、ホールド入力（Ｉｈ）の終了点（Ｐ２）に対応する第２コンテンツを他のコンテンツより相対的に大きく表示することができる。つまり、３＊５行列のイメージ‘１５’を他のイメージより相対的に大きく表示することができる。
【０２５５】
図２４〜図２５は、本発明に係る移動端末機の制御方法の他の実施の形態で制御方法をガイドするインジケーターを表示する方法を説明するための図である。
【０２５６】
図２４を参照すると、制御部は、第１入力、ホールド入力または第２入力に対応する機能をガイドするインジケーター（Ｉａ）をディスプレイ部１５１の中心領域に表示することができる。
【０２５７】
具体的には、第１入力または第２入力の長さ、角度及び速度の内、少なくとも一つに基づいて、第１機能又は第２機能が段階的または徐々に調整される場合、制御部は、第１入力または第２入力のガイド内容をインジケーター（Ｉａ）で表示し、ホールド入力に応じてスクロールされるコンテンツの情報をインジケーター（Ｉａ）で表示することができる。
【０２５８】
制御部は、第１入力（Ｉ１）を受信することによって、コンテンツの表示スケールを調整する第１機能を実行する場合、コンテンツの表示スケールの調整単位である「年」、「月」、「日」をインジケーター（Ｉａ）で表示することができる。具体的に、制御部は、第１入力（Ｉ１）の長さまたは角度の変更により、コンテンツの表示スケールの調整単位をインジケーター（Ｉａ）で表示することができる。
【０２５９】
例えば、制御部は、第１入力（Ｉ１）を受信することによって、コンテンツの表示スケールを「日」、「月」、「年」の順序に変更する第１機能を実行し、コンテンツの表示スケールの変更単位を選択する選択ボックスを移動するようにインジケーター（Ｉａ）を表示することができる。
【０２６０】
制御部は、ホールド入力を受信することによって、第１結果画面をスクロールする場合、選択されたコンテンツの表示スケールの変更の単位を増加または減少させることができる。具体的には、制御部は、ホールド入力が受信される間、選択された表示スケールの変更単位である「年」を「１５年（２０１５年）」から「１７年（２０１７年）」に変更してインジケーター（Ｉａ）で表示することができる。
【０２６１】
図２５を参照すると、制御部は、第１結果画面がスクロールされることによってホールド入力を受信する地点（Ｐ２）に表示されるコンテンツを拡大したセムネイル（thumbnail）（Ｉｂ）をディスプレイ部の中心領域に表示することができる。このとき、サムネイル（Ｉｂ）は、代表イメージ、イメージの撮影日時など簡単情報、キーワードなどになることができる。
【０２６２】
図２６〜図２７は、本発明に係る移動端末機の制御方法の他の実施の形態において、スクロール速度を調整する方法を説明するための図である。
【０２６３】
図２６を参照すると、制御部は、ホールド入力を受信する場合、端末機と地面の傾きを感知部を介して感知し、スクロール速度を決定することができる。
【０２６４】
具体的に、制御部は、ホールド入力を受信する場合、端末機と地面の傾きがθ１、θ２、θ３に減少することにより、第１結果画面のスクロール速度を徐々に減少させるように制御することができる。
【０２６５】
図２７を参照すると、制御部は、ホールド入力を受信する場合、第１結果画面に含まれたコンテンツの表示スケールに応じてスクロール速度を決定することができる。
【０２６６】
具体的に、制御部は、ホールド入力を受信する場合、第１結果画面に含まれたコンテンツの表示スケールが設定された基準値以上である場合、スクロール速度を第1速度で維持し、設定された基準値未満の場合は、スクロール速度を第２速度に変更するように制御することができる。つまり、制御部は、第１結果画面に含まれたコンテンツが非常に小さいスケールで表示された場合、スクロール速度を自動的に遅延させることで、コンテンツの識別率を高めることができる。
【０２６７】
図２８〜図３０は、本発明に係る移動端末機の制御方法の他の実施の形態を説明するための図である。
【０２６８】
図２８を参照すると、制御部は、少なくとも１つのコンテンツをディスプレイ部に表示し、特定のコンテンツまたは実行画面の特定領域のＶ形のジェスチャー入力を受信する場合、ブックマークを生成することができる。
【０２６９】
具体的に、制御部は、ディスプレイ部に表示された少なくとも１つのコンテンツの内、特定のコンテンツに対してＶ形のジェスチャー入力を受信する場合、特定コンテンツのブックマークを生成することができる。制御部は、第１特定コンテンツにブックマークが 生成された状態で、第２特定コンテンツについてＶ形のジェスチャー入力を受信する場合第２特定コンテンツのブックマークを追加で生成することができる。
【０２７０】
また、制御部は、特定アプリケーションの実行画面が表示された画面の状態バー（Status bar）の領域に対してＶ形のジェスチャー入力を受信する場合、その画面についてブックマークを生成することができる。
【０２７１】
制御部は、ブックマークが生成された特定コンテンツまたは実行画面のまとめて見を実行するメニュー項目を追加することができる。
【０２７２】
図２９〜図３０を参照すると、制御部は、少なくとも１つのコンテンツをディスプレイ部に表示し、ディスプレイ部を通じて複数の指を用いたＶ形のジェスチャー入力を受信しする場合、指一本を用いたＶ形のジェスチャー入力に対応する機能と区別される機能を実行することができる。以下、アルバムアプリケーションが実行された場合、２本の指を用いて、Ｖ形のジェスチャー入力を受信する場合の機能を説明する。
【０２７３】
図２９を参照すると、制御部は、少なくとも一つのイメージが表示されたディスプレイ部を通じて２本の指を用いて、右下の方向の第１入力（Ｉ１）を受信する場合、イメージの表示スケールを減少させることができる。
【０２７４】
制御部は、２本の指を用いて、右上方向の第２入力（Ｉ２）を受信する場合、第１入力（Ｉ１）の終了点に表示された特定のコンテンツ（Ｖ１）を拡大してディスプレイ部の中心領域に表示し、特定のコンテンツ（Ｖ１）を再生することができるプレーヤー（Player1、Player2、Player3）を一緒に表示することができる。
【０２７５】
図３０を参照すると、制御部は、少なくとも一つのイメージが表示されたディスプレイ部を通じて２本の指を用いて、右下の方向の第１入力（Ｉ１）を受信する場合、イメージの表示スケールを減少させることができる。
【０２７６】
制御部は、２本の指の内いずれか１つの指を第１入力（Ｉ１）の終了点に維持した状態で、別の指を用いて、表示スケールが縮小された第１特定イメージ（Ｖ３）のＶジェスチャー入力を受信する場合の表示スケールが縮小された第１特定イメージ（Ｖ３）のブックマーク（ｍ１）を生成することができる。
【０２７７】
制御部は、ブックマークの生成後２本の指を用いて、第１入力（Ｉ１）の終了点でホールド入力（Ｉｈ）を受信する場合、表示スケールが縮小されたイメージを下方向にスクロールすることができる。制御部は、スクロール方向（Ｓ）をインジケーターに表示することができる。
【０２７８】
制御部は、２本の指の内、いずれか１つの指をホールド入力（Ｉｈ）の終了点に維持した状態で、別の指を用いて、表示スケールが縮小された第２特定のイメージ（Ｖ１１）のＶジェスチャー入力を受信する場合の表示スケールが縮小された第２特定イメージ（Ｖ１１）のブックマーク（ｍ２）を生成することができる。
【０２７９】
本発明に係れば、アプリケーションの特性に応じて１つの連続したジェスチャーで制御することができる機能が２つ以上の場合、複数の指入力に対応する機能を設定することができる。
【０２８０】
前述した本発明は、プログラムが記録された媒体にコンピュータが読み取り可能なコードとして実現することが可能である。コンピュータが読み取り可能な媒体は、コンピュータシステムによって読み取られるデータが記憶されるあらゆる種類の記録装置を含む。コンピュータが読み取り可能な媒体の例としては、ＨＤＤ（Hard Disk Drive）、ＳＳＤ（Solid State Disk）、ＳＤＤ（Silicon Disk Drive）、ＲＯＭ、ＲＡＭ、ＣＤ−ＲＯＭ、磁気テープ、フロッピーディスク、光データ記憶装置などがあり、また、キャリアウェーブ（例えば、インターネットを通じた伝送）の形で実現されるものも含む。また、前記コンピュータは、端末機の制御部１８０を含むこともできる。したがって、前記の詳細な説明は、すべての面で制限的に解釈してはならなく、例示的なもので考慮されるべきである。本発明の範囲は、添付された請求項の合理的解釈によって決定されるべきであり、本発明の等価的範囲内でのすべての変更は、本発明の範囲に含まれる。
【符号の説明】
【０２８１】
１００    移動端末機
１１０    無線通信部
１１１    放送受信モジュール
１１２    移動通信モジュール
１１３    無線インターネットモジュール
１１４    近距離通信モジュール
１１５    位置情報モジュール
１２０    入力部
１２１    カメラ
１２２    マイクロフォン
１２３    ユーザ入力部
１４０    センシング部
１４１    近接センサ
１４２    照度センサ
１５０    出力部
１５１    ディスプレイ部
１５２    音声出力部
１５３    ハプティックモジュール
１５４    光出力部
１６０    インタフェース部
１７０    メモリ部
１８０    制御部
１９０    電源供給部
【図１Ａ】
2016062590.tif 000003
【図１Ｂ】
2016062590.tif 000004
【図１Ｃ】
2016062590.tif 000005
【図２】
2016062590.tif 000006
【図３】
2016062590.tif 000007
【図４】
2016062590.tif 000008
【図５】
2016062590.tif 000009
【図６】
2016062590.tif 000010
【図７】
2016062590.tif 000011
【図８】
2016062590.tif 000012
【図９】
2016062590.tif 000013
【図１０】
2016062590.tif 000014
【図１１】
2016062590.tif 000015
【図１２】
2016062590.tif 000016
【図１３】
2016062590.tif 000017
【図１４】
2016062590.tif 000018
【図１５】
2016062590.tif 000019
【図１６】
2016062590.tif 000020
【図１７】
2016062590.tif 000021
【図１８】
2016062590.tif 000022
【図１９】
2016062590.tif 000023
【図２０】
2016062590.tif 000024
【図２１】
2016062590.tif 000025
【図２２】
2016062590.tif 000026
【図２３】
2016062590.tif 000027
【図２４】
2016062590.tif 000028
【図２５】
2016062590.tif 000029
【図２６】
2016062590.tif 000030
【図２７】
2016062590.tif 000031
【図２８】
2016062590.tif 000032
【図２９】
2016062590.tif 000033
【図３０】
2016062590.tif 000034